(57)【要約】  遵守ゾーンを確立し、該遵守ゾーンとの相互作用をモニターするシステムが提供される。該システムは遵守ゾーン指示器と着用デバイスとを有する。該遵守ゾーン指示器は該遵守ゾーンを確立するため超音波信号を送信する。該超音波信号は該遵守ゾーンに関する情報で符号化される。該遵守ゾーン指示器は該遵守ゾーンが望まれる場所への配置用に構成されている。該着用デバイスは該遵守ゾーン指示器とは別になっている。該着用デバイスは該遵守ゾーンを認識し、該遵守ゾーン用の１つ以上の予め規定された相互作用基準を識別するよう構成された遵守ゾーン認識部品を有する。該着用デバイスが該遵守ゾーン内にあると、該遵守ゾーン認識部品は該遵守ゾーンを認識し、該遵守ゾーンの相互作用規準を識別する。該相互作用基準に基づき、該着用デバイスは該相互作用基準の遵守を判定し、記録する。該記録されたデータはオプションで実時間警告を起こさせるため使われてもよい。該記録されたデータはまた、オプションでプロトコルの遵守の次の分析と文書化で使われる。【選択図】  図１
2012531108.tif 000002
【特許請求の範囲】
【請求項１】
遵守ゾーンを確立し、そして該遵守ゾーンと相互作用するシステムであって、
データを送信するよう構成された遵守ゾーン指示器であり、該送信が該遵守ゾーン指示器の近傍の該遵守ゾーンの創生に帰着する様な仕方で超音波信号を使って行われており、該超音波信号が複数のバーストを有しており、該複数のバーストの中の連続するバーストが予め規定された時間間隔だけ時間的に離れており、そして該複数のバーストの中の該連続するバースト間の全ての該予め規定された時間間隔のシーケンスが該遵守ゾーンを独特に識別する、該遵守ゾーン指示器と、そして
該遵守ゾーン指示器とは別の着用デバイスと、を具備しており、該着用デバイスは、該着用デバイスが該遵守ゾーン内で該超音波信号を通して該データを受信した時、該遵守ゾーン用の予め規定された相互作用基準を識別するよう構成された遵守ゾーン認識部品を備えており、
該着用デバイスが該遵守ゾーン内に配置された時、該遵守ゾーン認識部品は該遵守ゾーンの該相互作用基準を識別し、該相互作用基準に従い動作する、該システム。
【請求項２】
前記遵守ゾーン指示器が移動可能である請求項１に記載のシステム。
【請求項３】
前記遵守ゾーン指示器が超音波信号で、１バースト当たり８−１０搬送波サイクルの、７バーストを送信し、各バーストは、連続するパルス間の時間間隔の全てが有効範囲内にある６パルスのシーケンスである請求項１に記載のシステム。
【請求項４】
前記有効範囲が２３と２７μｓの間にあり、かつ２３と２７μｓを含む請求項３に記載のシステム。
【請求項５】
前記遵守ゾーンの前記データが、前記超音波信号の前記７バースト内の連続するバースト間の前記予め規定された時間間隔の全体で符号化される請求項３に記載のシステム。
【請求項６】
２つの連続するバースト間の各時間間隔が英数字のデータに対応しており、そして
前記７バースト内で符号化された前記データの全文字の一群が前記遵守ゾーンの前記データと対応する請求項３に記載のシステム。
【請求項７】
前記超音波信号の各バーストについて、前記遵守ゾーン認識部品が、
前記連続するパルス間の全時間間隔が前記有効範囲内にある前記６パルスを受信後に超音波信号の１つのバーストを認識し、そして
ブラックアウト期間中該１つのバーストを認識した後に受信した追加パルスを無視することにより、該遵守ゾーン認識部品で受信した該超音波信号のマルチパス干渉を最小化するよう更に構成される請求項３に記載のシステム。
【請求項８】
前記ブラックアウト期間が少なくとも３０ｍｓである請求項７に記載のシステム。
【請求項９】
前記着用デバイスが
前記超音波信号内の符号化された前記データを復号するために受信超音波信号を処理するプロセッサと、そして
該着用デバイスの該プロセッサを制御する制御器と、を更に備える請求項１に記載のシステム。
【請求項１０】
前記制御器のクロックが低電力ＲＣタイマー発振器である請求項９に記載のシステム。
【請求項１１】
前記着用デバイスが
超音波信号に対応しない受信信号の成分を除去するフィルターを更に備えており、前記制御器及び前記プロセッサが、超音波信号が該フィルターを通過し、該フィルターにより出力された時のみ作動させられる請求項９に記載のシステム。
【請求項１２】
前記遵守ゾーンに関する前記データが
該遵守ゾーン用のゾーン識別子と、
該ゾーン識別子が有効かどうかを判定するため使われる周期的冗長検査チェックサムと、を有する請求項１に記載のシステム。
【請求項１３】
遵守ゾーンを確立し、そして該遵守ゾーンと相互作用する、方法であって、
遵守ゾーン指示器を使い、かつ超音波信号を使ってデータを送信する過程であり、該送信する過程が、該遵守ゾーン指示器の近傍の該遵守ゾーンの創生に帰着する様な仕方で行われており、該超音波信号が複数のバーストを有しており、該複数のバーストの中の連続するバーストが予め規定された時間間隔だけ時間的に離れており、そして該複数のバーストの中の該連続するバースト間の全ての該予め規定された時間間隔のシーケンスが該遵守ゾーンを独特に識別する、該送信する過程と、そして
着用デバイスの遵守ゾーン認識部品を使って該遵守ゾーン用の予め規定された相互作用基準を識別する過程であり、該識別する過程が、該着用デバイスが該遵守ゾーン内で該超音波信号を通して該データを受信した時、行われる該識別する過程と、を具備しており、該遵守ゾーン認識部品は該相互作用基準に従い動作する該方法。
【請求項１４】
前記遵守ゾーン指示器が移動可能である請求項１３に記載の方法。
【請求項１５】
遵守ゾーン指示器を使ってバースト当たり８−１０搬送波サイクルで７バーストの超音波信号を送信する過程を更に具備しており、各バーストは連続するパルス間の全時間間隔が有効範囲内にある６パルスのシーケンスである請求項１３に記載の方法。
【請求項１６】
前記有効範囲が２３と２７μｓの間にあり、かつ２３と２７μｓを含む請求項１５に記載の方法。
【請求項１７】
前記遵守ゾーンの前記データが、前記超音波信号の前記７バーストの中の連続するバースト間の前記予め規定された時間間隔の全体で符号化される請求項１５に記載の方法。
【請求項１８】
２つの連続するバースト間の各時間間隔が英数字のデータに対応しており、そして
前記７バースト内で符号化された前記データの全文字の一群が前記遵守ゾーンの前記データと対応する請求項１７に記載の方法。
【請求項１９】
前記超音波信号の各バーストについて、
前記連続するパルス間の全時間間隔が前記有効範囲内にある前記６パルスを受信後に前記遵守ゾーン認識部品を使って超音波信号の１つのバーストを認識する過程と、そして
ブラックアウト期間中該１つのバーストを認識した後、該遵守ゾーン認識部品で受信した追加パルスを無視することにより該遵守ゾーン認識部品で受信した該超音波信号のマルチパス干渉を最小化する過程と、を更に具備する請求項１５に記載の方法。
【請求項２０】
前記ブラックアウト期間が少なくとも３０ｍｓである請求項１９に記載の方法。
【請求項２１】
前記超音波信号内の符号化された前記データを復号するためにプロセッサを使って受信超音波信号を処理する過程と、そして
制御器を使って該プロセッサを制御する過程と、を更に具備する請求項１３に記載の方法。
【請求項２２】
低電力ＲＣタイマー発振器を使って前記制御器内の時刻を追跡する過程を更に具備する請求項２１に記載の方法。
【請求項２３】
フィルターを使って超音波信号に対応しない受信信号の成分を除去する過程と、そして
超音波信号が該フィルターを通過し、該フィルターにより出力された時のみ前記制御器及び前記プロセッサを作動させる過程と、を更に具備する請求項２１に記載の方法。
【請求項２４】
前記遵守ゾーンに関する前記データが
該遵守ゾーン用のゾーン識別子と、そして
該ゾーン識別子が有効かどうかを判定するために使われる周期的冗長検査チェックサムと、を有する請求項１３に記載の方法。
【請求項２５】
第１超音波信号を送信する過程であって、該送信が該第１超音波信号の該送信の近傍に於ける遵守ゾーンの創生に帰着する仕方で行われる該送信する過程と、
該第１超音波信号を第１着用デバイスで受信する過程と、
該第１着用デバイスが該遵守ゾーン内で該第１超音波信号を受信した時、該第１着用デバイスを使って該遵守ゾーンと関係する相互作用規準を識別する過程と、
該第１着用デバイスを使って該相互作用基準に関係するアクションを行う過程であって、該アクションが第２着用デバイスと通信する第２超音波信号を送信する過程を有する該アクションを行う過程と、
該第２着用デバイスに於いて該第１着用デバイスからの該第２超音波信号を受信する過程と、そして
該第２着用デバイスに於いて該第２超音波信号の受信を記録する過程と、を具備する方法。
【請求項２６】
遵守ゾーンを確立するシステムであって、
超音波信号の複数のバーストを送信するため送信器を制御するようプログラムされた制御器を具備しており、該複数のバーストの中の連続するバーストが予め規定された時間間隔だけ時間的に離れており、該複数のバーストの中の該連続するバースト間の全ての該予め規定された時間間隔のシーケンスが該遵守ゾーンを独特に識別しており、
該送信器は該システムの近傍内の該遵守ゾーンの創生に帰着する仕方で該超音波信号の該複数のバーストを送信するよう構成される該システム。
【請求項２７】
前記送信器はバースト当たり８−１０搬送波サイクルで７バーストの前記超音波信号を送信し、各バーストが連続するパルス間の全時間間隔が有効範囲内にある６パルスのシーケンスである請求項２６に記載のシステム。
【請求項２８】
前記有効範囲が２３と２７μｓの間にあり、かつ２３と２７μｓを含む請求項２７に記載のシステム。
【請求項２９】
２つの連続するバースト間の各時間間隔がデータの英数字に対応し、そして
前記７バースト内で符号化された前記データの全文字の一群が前記遵守ゾーンに関する前記データに対応する請求項２７に記載のシステム。
【請求項３０】
遵守ゾーンを認識するシステムであって、
該遵守ゾーンを確立する超音波信号を受信するよう構成された受信器と、
プログラムされたプロセッサであって、
該超音波信号の複数のバーストを認識する過程であって、該複数のバーストの中の連続するバーストが予め規定された時間間隔だけ時間的に離れている状態で、該認識をする
過程と、
該複数のバーストの中の該連続するバースト間の全ての該予め規定された時間間隔のシーケンスを復号する過程であって、該シーケンスが該遵守ゾーンを独特に識別するよう、該復号する過程と、そして
該遵守ゾーンの特性に基づき該遵守ゾーン用の予め規定された相互作用基準を識別する過程とを、プログラムされたプロセッサと、を具備する該システム。
【請求項３１】
前記超音波信号の各バースト用に、前記プロセッサが
連続するパルス間の全ての該時間間隔が有効範囲内にある第１数のパルスを受信後超音波信号の１つのバーストを認識するよう、そして
ブラックアウト期間中該１つのバーストを認識後受信した追加パルスを無視することにより、該受信器で受信された該超音波信号のマルチパス干渉を最小化するよう、プログラムされる請求項３０に記載のシステム。
【請求項３２】
パルスの前記第１数が６である請求項３１に記載のシステム。
【請求項３３】
前記有効範囲が２３と２７μｓに間にあり、かつ２３と２７μｓを含む請求項３１に記載のシステム。
【請求項３４】
前記ブラックアウト期間が少なくとも３０ｍｓである請求項３１に記載のシステム。
【発明の詳細な説明】
【技術分野】
【０００１】
本発明の例示用実施例は施設内プロトコルのモニタリング及び励行に関する。特に、例示用実施例は、超音波信号を使うデータ伝送を通しての指定された遵守ゾーンの確立と、プロトコル遵守の判定用の該指定された遵守ゾーンとの相互作用のモニタリングと、に関する。
【背景技術】
【０００２】
多くの施設は健康、安全、保険及び規制の要求を遵守させるプロトコルを配置している。工場や病院の様な大きな施設では、プロトコルの強制を追跡される必要のある多数の人、機器、範囲、及び他のリソースがある。関与する大きな数に加えて、この様な大型施設ではまた、多種類の人、機器、範囲及びリソースがある。該多種類の人、機器、範囲及びリソースの各々は、多種類の関連するプロトコルを有する。
【０００３】
遵守プロトコルの例として、有資格要員のみがアクセスを許される施設内の特定範囲又はゾーンがある。工場では、これらの遵守ゾーンは、危険な機器又は化学品が使われ、適切な安全装置を有する有資格要員のみがアクセスを許される危険ゾーンである。ゾーン用に必要な資格のレベルは、該ゾーン内にいる時ヘルメットが必要なことから、該ゾーン内にいる時防護服及びレスピレーターが必要なことまでに及ぶ。施設はまた、或るプロトコルが護られねばならないクリーンルーム及び安全室の様な他のゾーンを有してもよい。これらのゾーンへのアクセスは要員に、特定の訓練又はアクセス権限を有するか、又は該ゾーンに入る、該ゾーンから出る又は該ゾーンに留まる時、或るアクションを行うことを求める。
【０００４】
病院もまた、関与する種々の人（非従業員及び従業員の種類）、機器、範囲及びリソースで変わる多くのプロトコルを規則的にモニターし、強制せねばならない。どんな時でも、医療専門家、管理スタッフ及びハウスキーピングスタッフに加えて、病院内には多数の患者、訪問者、コンサルタント、建設業者等が居る。これらの個人の各々は、彼等に組み合わされる種々のプロトコル要求を有する。病院はまた、患者室、実験室、手術室、クリーンルーム、集中治療範囲、隔離範囲、放射線学室、記録室、管理オフィス、データ及びセキュリティセンター、医薬供給室の様な、特定プロトコル要求を有する幾つかの範囲を備える。これらの範囲の各々は種々のプロトコルを要する。病院はまた、一時的又は非恒久的プロトコルの使用を要してもよい。例えば、特定の患者又は機器片用には防護プロトコルが要求される。患者又は患者を保持するベッドが接触伝染性と指定された場合、適当な有資格のそして装備した医療専門家だけが該患者又はベッドに近付くことが許される。或る環境では、医療専門家は、或る診断を有する患者に近付く時はＮ９５レスピレーターの使用、又は遵守ゾーンを出る時は手を洗滌する必要性、の様な典型的又は非典型的なプロトコルの遵守を求められる。他のプロトコルは人又は範囲の種類について汎用的である。
【０００５】
例え簡単なプロトコルの強制でも、病院の様な大きなそして忙しい施設を扱う時は難しく、実時間の強制は極端に難しい。模範的な病院プロトコルは手の衛生又は手洗浄プロトコルである。研究は、手の衛生プロトコルへの適切な遵守は、院内感染により引き起こされる罹病率及び死亡率を著しく減じることが出来ることを示す。しかしながら、手の衛生のプロトコルで指定された動作の強制は、モニタリングを要する多数の個人と、病院内部の一般的に忙しく、速いペースの環境のために病院では難しい。
【０００６】
プロトコルの遵守のモニタリングの或る技術は、各ゾーンが該ゾーンに関係する特定プ
ロトコルを有するゾーンを該施設内に確立することを含む。例えば、患者のベッド付近のクリーンゾーンは、該クリーンゾーンの汚染を避けるために手洗浄プロトコルを要する。これらの技術は、リソース、例えば病院スタッフについて、該リソースが該ゾーンに関係するプロトコルを遵守したかどうかを判定するために、ゾーンとの相互作用をモニターする。
【０００７】
ゾーンを確立する或る従来の技術は、ゾーンの境界を指示するために赤外線信号を送信する過程を含む。赤外線信号は見通し線に依っており、すなわち、該信号は直線で伝播し、一般に障害物を通り抜けたり、障害物を回り込んだりは出来ない。赤外線は幾つかの従来のゾーン確立システム用には好適であり、何故ならば赤外線信号は壁を貫通せず、良く規定されたゾーン内に囲い込まれるからである。
【０００８】
しかしながら、赤外線信号の送信でゾーンを確立する従来技術には著しい欠点がある。一般に従来のシステムは、赤外線送信器と赤外線受信器の間の見通し線がブロックされる場合、例えば臨床医が着用した受信器バッジが該臨床医の衣服、或いは或る患者室で着用することを求められる防護服装、によりカバーされる場合、作動しない。この様であるから、臨床医が着用するバッジ上の赤外線信号受信器は、常に衣服の外に曝されねばならない。これは、例えば頸又は肩の後ろに於ける様に、バッジの不快な又は望まない配置を要することが多い。衣服外のバッジの露出はまた、該衣服の感染抑制バリアを破り、該違反は赤外線受信器バッジをクリーンな範囲での使用に不適当とさせる。赤外線受信器バッジを着用する病院スタッフメンバーは、かくして如何に、そして何処へ該バッジを着用するかを意識している必要がある。同様な理由で、手洗浄ステーションの使用を示す赤外線送信器は手洗浄ディスペンサー内へ組み込むことができない。何故ならば該赤外線信号が該ディスペンサーのケーシングを貫通しないからである。
【０００９】
赤外線信号はまた、障害物が該赤外線送信器と受信器の間の主信号経路を覆う時起こるシャドーイングに影響され易い。従来の技術は一つ信号のゾーンを確立するために、赤外線送信器の大型で複雑なセットを使うことにより該シャドーイングの問題を克服するよう企てている。これらの従来の技術は設置するのに高価であり、多大なインフラストラクチャーを要する。
【００１０】
ゾーンを確立する他の従来技術は、該ゾーンの境界線を指示するために無線周波（ＲＦ）信号又は無線自動識別（ＲＦＩＤ）信号の送信を含む。無線周波信号は見通し線に依らず、一般的に障害物を通り抜けるか、回り込む。この特性は、例えば臨床医着用バッジ上の無線周波受信器がゾーンの施設輪郭に実質的に無関係に無線周波送信器からの信号を信頼性を保って受信することを可能にする。しかしながら、この見通し線に依らぬ特性はまた、該無線周波信号が壁を貫通することが出来て、壁のセット間に規定されたゾーン内に信頼性を保って囲い込まれ得ないことを意味する。例えば、部屋内のゾーンを規定するために部屋内で送信する無線周波信号は、隣接室内の該ゾーン外の無線周波受信器により受信される。かくして、これらの従来システムでは、無線周波受信器は受信された信号のソースを識別することに困難を有する。
【００１１】
上記欠点にも拘わらず、赤外線及び無線周波の両信号は超音波の様な他の技術に優ってゾーンを確立するために好ましい技術として役立って来た。超音波信号はデータ伝送に適しない。超音波信号はマルチパス干渉を非常に起こしやすく、該干渉は１つのソースからの波が２つ以上の経路を経由して検出器へ進み、適した条件では該波の２つ以上の成分が干渉する現象である。
【発明の概要】
【００１２】
上記を考慮して、例示用実施例は範囲及び個人と関係するプロトコルの遵守をモニター
し促進するシステムを提供する。該システムはプロトコルと関係する行動をモニターし、該行動の該プロトコルへの遵守を判定する。該システムは関与する範囲又は個人に基づき、必要な様に構成可能である。
【００１３】
例えば、例示用実施例で提供されるシステムは遵守ゾーンを確立し、該遵守ゾーン内及び該ゾーンの近くでの種々の個人の行動をモニターすることが出来る。遵守ゾーンは、遵守ゾーン指示器からの信号送信を使って確立される。該遵守ゾーンと相互作用する各個人は着用デバイスを備える。該着用デバイスは該遵守ゾーン指示器により送信された信号を認識し、該遵守ゾーンと相互作用するための１つ以上の予め決められた又は予め規定された基準を識別する。これらの基準は、該遵守ゾーンと関係する１つ以上のプロトコルに関係しており、プロトコルを強制するよう行動に影響し、行動をモニターしそして行動を文書化するのに必要な様に構成可能である。該システムは、該着用デバイスの着用者が該基準を遵守し、従って該遵守ゾーンと関係する該プロトコルを遵守しているかどうかを判定する。
【００１４】
更に、ゾーン確立に赤外線及び無線周波信号伝送を使う欠点を考慮し、そして超音波がデータ伝送用に好適でないと言う従来の見方にも拘わらず、例示用実施例により提供されるシステムはゾーン確立に超音波伝送を使う。超音波は赤外線よりも少ししか見通し線に依らず、無線周波よりも多く見通し線に依る。超音波信号が障害物により完全には阻止されないので、送信器及び受信器は該ゾーンの施設輪郭に無関係に超音波を使って高信頼性状態で通信出来る。他方、超音波信号は壁を貫通出来ないので、該システムはゾーンが明確に定義されること、そしてゾーンを確立する超音波信号の送信は該ゾーンの外部の受信器により受信されないことを保証する。超音波信号はデータ伝送には好適でないが、例示用実施例は超音波信号のデータを符号化し、そして符号化された超音波信号からデータを復号するシステムと方法を提供する。例示用システムと方法はまた、超音波信号に関係するマルチパス干渉の問題を緩和する。
【００１５】
本発明の１つの例示用実施例に依れば、遵守ゾーンを確立し、該ゾーンとの相互作用をモニターするシステムが提供される。該システムは遵守ゾーン指示器を有し、該遵守ゾーン指示器の近傍で該遵守ゾーンの創生に帰着する様な仕方で超音波システムを使ってデータを送信するよう構成された該遵守ゾーン指示器を有している。該超音波信号は、バースト当たり８搬送波サイクルとバースト当たり１０搬送波サイクルの間にあって、かつ含むバーストを有する。該システムはまた、該遵守ゾーン指示器とは別の着用デバイスを有する。該着用デバイスは、該着用デバイスが該遵守ゾーン内で該超音波信号を通してデータを受信した時、該遵守ゾーン用の予め規定された相互作用基準を識別するよう構成された遵守ゾーン認識部品を有する。該着用デバイスが該遵守ゾーン内に配置されると、該遵守ゾーン認識部品は該遵守ゾーンの相互作用基準を識別し、該相互作用基準に従って動作する。該着用デバイスはまた、該遵守ゾーンの該相互作用基準の遵守を判定し、記録する。該記録データはオプションではリアルタイムの警報を作動させるため使われる。該記録データはまた、オプションで続くプロトコル遵守の分析及び文書化で使われる。
【００１６】
本発明のもう１つの例示用実施例に依れば、遵守ゾーンを確立し、該ゾーンと相互作用する方法が提供される。該方法は遵守ゾーン指示器を使い、超音波信号を使ってデータを送信する過程を具備し、該遵守ゾーン指示器の近傍での遵守ゾーン創生に帰着する様な仕方で該データの送信を行う過程を具備しており、該超音波信号は複数のバーストを有し、該複数のバースト内の連続するバーストは予め規定された時間間隔だけ時間的に離れており、該複数のバースト内の該連続するバースト間の全ての該予め規定された時間間隔のシーケンスは該遵守ゾーンを独特に識別する。該方法はまた、着用デバイスの遵守ゾーン認識部品を使って該遵守ゾーン用の予め規定された相互作用基準を識別する過程を具備し、該着用デバイスが該遵守ゾーン内で該超音波信号を通して該データを受信する時、該識別
する過程を具備しており、該遵守ゾーン認識部品は該相互作用基準に従い動作する。
【００１７】
本発明のなおもう１つの例示用実施例に依り、１方法が提供される。該方法は、第１超音波信号を送信する過程であって、該第１超音波信号の送信の近傍の遵守ゾーンの創生に帰着する方法で該第１超音波信号を送信する過程と、第１着用デバイスを使って該遵守ゾーンと関係する相互作用基準を識別する過程であって、該第１着用デバイスが該遵守ゾーン内で該第１超音波信号を受信する時に該識別する過程と、を具備する。該方法はまた、該第１着用デバイスを使って該相互作用基準と関係したアクションを行う過程を具備しており、該アクションは第２着用デバイスと通信する第２超音波信号を送信する過程を有する。該方法は該第２着用デバイスに於いて該第１着用デバイスからの第２超音波信号を受信する過程と、該第２着用デバイスに於ける該第２超音波信号の受信を記録する過程と、を更に具備する。
【図面の簡単な説明】
【００１８】
本発明のこれら及び他の特性は添付した図面と連携した下記詳細説明を参照することにより充分に理解される。
【図１】遵守ゾーンを確立し、該ゾーンとの相互作用をモニターするシステムの例示用実施例のブロック線図を図示する。
【図２】遵守ゾーン指示器の例示用実施例のブロック線図を図示する。
【図３】図２の例示用保護ゾーン指示器の斜視図を図示する。
【図４】使用可能な着用デバイスの例示用実施例のブロック線図を図示する。
【図５Ａ】バッジを成している例示用着用デバイスの正面斜視図を図示する。
【図５Ｂ】図５Ａのバッジの背面図を図示する。
【図６Ａ】バッジホルダーを成している例示用着用デバイスの正面斜視図を図示する。
【図６Ｂ】図６Ａのバッジホルダーの背面図を図示する。
【図７】遵守ゾーンを確立するための方法論の１つの例示用実施例のフローチャートである。
【図８Ａ】超音波信号のバーストの例示用実施例のパルスを図示する。
【図８Ｂ】超音波信号のメッセージの例示用実施例内のバーストを図示する。
【図８Ｃ】超音波信号のメッセージの例示用実施例のメッセージビットを図示する。
【図９】超音波信号内の符号化されたメッセージの復号で使用される例示用メッセージ翻訳ロジックのフローチャートである。
【図１０】メッセージの周期的冗長検査（ＣＲＣ）チェックサムを計算する例示用の方法のフローチャートである。
【図１１】ＣＲＣチェックサムを使ってメッセージの有効性を判定する例示用の方法のフローチャートである。
【図１２】遵守ゾーンを確立し、該ゾーンとの相互作用をモニターする例示用の方法のフローチャートである。
【図１３】病院内で手洗浄要求を強制するシステムの例示用実施例を図示する。
【図１４】図１３のシステムの１部分のブロック線図を図示する。
【図１５】図１４で図示する着用デバイスと手洗浄ステーションの間の相互作用の例示用の方法のフローチャートである。
【図１６】病院内で手洗浄要求を強制する例示用の方法のフローチャートである。
【図１７】遵守ゾーンを離れた後に、病院内で手洗浄要求を強制する例示用の方法のフローチャートである。
【図１８】手術室内で中断プロトコルを強制するシステムの例示用実施例を図示する。
【図１９】手術室内で中断プロトコルをモニターし、強制する例示用の方法のフローチャートである。
【図２０】ベースステーションの例示用実施例を図示する。
【図２１】ベースステーションにより提供されるグラフィカルユーザーインターフェースの例示用実施例を図示する。
【実施例１】
【００１９】
例示用実施例は施設内の指定範囲の使用及び／又は該範囲との相互作用に関するプロトコルを強制するシステムと方法を提供する。これらの指定範囲に関するプロトコルを強制するために、該システムは、プロトコル強制が望まれる範囲内に遵守ゾーンとここでは呼ばれるものを確立する。或る例示用実施例では、該遵守ゾーンは保護された範囲内、例えば患者の周りに又はクリーンな範囲内に、確立されてもよい。これらの実施例では、該遵守ゾーンは防護されるゾーンであると考えられてもよい。
【００２０】
該システムをこれらの遵守ゾーンを遵守ゾーン指示器を使い確立する。該遵守ゾーン指示器は１つ以上の超音波信号を送信することにより該遵守ゾーンを確立する。該信号により覆われた範囲は該遵守ゾーンの範囲に対応する。従って、該信号の送信は該遵守ゾーンを確立するアクションである。
【００２１】
該遵守ゾーンの範囲と相互作用する個人は、該遵守ゾーン指示器から送信される信号を受信する着用デバイスを備える。個人が遵守ゾーン内に居ると、彼／彼女の着用デバイスは該送信信号を受信し、遵守ゾーンが該範囲内に確立されたことを認識する。一旦遵守ゾーンが認識されると、該着用デバイスは、強制されるプロトコルにより指定されるように、遵守ゾーンと相互作用するために、どんな規準がそこにあっても、該規準を識別する。該着用デバイスはオプションとして着用者に該プロトコル基準を通知する実時間の合図又は警報を提供してもよい。該着用デバイスは次いで該個人が該基準を遵守しているかどうかを判定する。該着用デバイスは該判定結果を記録し、該規準に関する情報を処理する。遵守は該個人が手洗浄ステーションの様な、範囲内の品物と如何に相互作用するかの評価を含んでもよい。該記録された遵守データはアクセスされ、ダウンロードされ、強制の有効性を決定するために種々の方法で検討又は分析されてもよい。該記録された遵守データ
はオプションでリアルタイムに警報を作動させるため使われてもよい。
【００２２】
全体を通して同様な部品は同様な参照数字で指定される図１から２１は例示用実施例に依り、遵守ゾーンの使用及び／又は遵守ゾーンとの相互作用に関するプロトコルを強制するシステムと方法の実施例を図解する。例示用実施例は図を参照して説明されるが、数多くの代替え形式で本発明を具体化することが出来ることは理解されるべきである。当業者は寸法、形状又は要素又は材料の種類の様な開示実施例のパラメーターを、本発明の精神と範囲をなお守る仕方で、変える種々の方法を追加的に評価するであろう。
【００２３】
Ｉ．システム
図１は遵守ゾーンを確立し、該ゾーンとの相互作用をモニターするシステム１００の例示用実施例を図示する。該システム１００は遵守ゾーン指示器１１０と該遵守ゾーン指示器１１０から離れた着用デバイス１２０を有する。使用時、該遵守ゾーン指示器１１０は遵守ゾーン１３０を確立する。着用デバイス１２０が該遵守ゾーン１３０内にある時、該着用デバイスの遵守ゾーン認識部品１４０は該遵守ゾーン１３０を認識し、該遵守ゾーン１３０に関係する１つ以上の相互作用基準を識別する。該相互作用基準に基づき、該着用デバイス１２０は該相互作用基準の要求に従って動作する。加えて、該着用デバイス１２０は該相互作用基準の遵守を判定し、記録する。該システム１００の要素の各々は、該各々の動作及び他の要素との相互作用を含めて、下記で詳細に論じられる。
【００２４】
ＩＩ．遵守ゾーン指示器
該システム１００は遵守ゾーン指示器１１０を有する。該遵守ゾーン指示器１１０は、例えば信号を送信することにより、遵守ゾーン１３０を確立する、又は指示する。この様であるから、該遵守ゾーン指示器１１０は遵守ゾーン１３０が望まれる場所に配置されるよう構成されてもよい。遵守ゾーン１３０は、プロトコルの強制が望まれるどんな場所に確立されてもよい。例えば、遵守ゾーン１３０は患者、ベッド、部屋、機器等用に使用されてもよい。この様であるから、遵守ゾーン指示器１１０は、例えば、人、機器、場所他に取り付けられる様な、多数の場所への容易な配置用に設計される。遵守ゾーン指示器１１０はまた、可動性であってもよく、該指示器１１０により指示される遵守ゾーンの場所を変えるために移動させられてもよい。
【００２５】
該遵守ゾーン指示器１１０は自由にオン又はオフに切り替えられてもよい。
【００２６】
図２は遵守ゾーン指示器１１０の例示用実施例を図示する。この実施例で、該遵守ゾーン指示器１１０は送信器２００，制御器２１０そして受信器２２０を有する。該送信器２００は遵守ゾーンを確立するために超音波信号を送信する。該送信器２００により送信される信号の範囲は、後で論じられる様に該信号を制限する障害物が無いならば、遵守ゾーン１３０の外側限界を確立する。或る実施例では、遵守ゾーン指示器１１０は多数の送信器を有してもよい。
【００２７】
該制御器２１０は該送信器２００，送信される超音波信号、そして受信器２２０を制御するようプログラムされる。該制御器２１０は送信器２００を制御するようプログラムされるのに好適などんな種類の制御器、マイクロ制御器、プロセッサ又はマイクロプロセッサであってもよい。該制御器２１０はどんな種類の信号を該送信器２００が送信するかを指示してもよく、或いは該信号が如何に伝わるかの種類を指示してもよい。該遵守ゾーンを確立するために該送信器２００により送信される該信号は独特な、半ば独特な、独特でない、信号或いはそれらの何等かの組み合わせであってもよい。例えば、独特な信号は特定の患者と相関して使われてもよく、一方半ば独特な信号は患者の種類に伴って使われてもよい。或る実施例では、識別番号及び／又は日付と時刻情報の様な他の情報、が該超音波信号内に符号化される。該信号の送信は連続的でも、周期的でも、該遵守ゾーン指示器
１１０で受信された信号への応答でも、或いはそれらの何等かの組み合わせであってもよい。該信号の種類のみならず信号の強さも制御器２１０を使ってユーザー指定されてもよい。
【００２８】
該制御器２１０はまた、該送信器２００により送信された超音波信号がデータにより符号化されるよう送信器２００を制御すべくプログラムされる。該データは、それらに限定されないが、該超音波信号により確立される遵守ゾーンの種類と特性、遵守ゾーン指示器１１０に関する情報、他を有してもよい。
【００２９】
或る実施例では、該遵守ゾーン指示器１１０は受信器２２０を更に有する。該受信器２２０は該遵守ゾーン指示器１１０で超音波信号を受信するよう構成される。或る実施例では、該受信器２２０は遵守ゾーン指示器１１０を構成する信号を受信するよう使われてもよい。或る実施例では、該受信器２２０は、該遵守ゾーン指示器１１０で受信された信号に応答して信号を送信するトランスポンダーを形成するために、送信器２００及び制御器２１０と連携して使われてもよい。或るこの様な実施例では、送信される信号の範囲及び／又は種類は受信器２２０により受信された信号により決定されてもよい。
【００３０】
図３は、遵守ゾーンが望まれる場所へ配置するよう構成された遵守ゾーン指示器１１０の例示用実施例を図示する。該遵守ゾーン指示器１１０は送信器２００，制御器２１０、そして受信器２２０を収容するハウジング３００を有する。該ハウジングはプラスチック、金属又は他の適当な材料で形成される。該ハウジングは多数の場所への該遵守ゾーン指示器１１０の容易な配置と、１つの場所からもう１つへの該遵守ゾーン指示器１１０の移動と、を許容するように、サイズ決めされ、寸法取りされる。或る実施例では、該遵守ゾーン指示器１１０はバッテリーで給電される。他の実施例では、該遵守ゾーン指示器１１０は壁のソケットに差し込まれるか、又は電源へ又はグリッドへ配線されてもよい。
【００３１】
或る実施例では、遵守ゾーン指示器１１０は該遵守ゾーン指示器１１０への又は該指示器からのデータ転送用にデータポート３２０を更に有してもよい。該データポート３２０は遵守ゾーン指示器１１０を構成するために制御器２１０と通信するよう使われてもよい。適当なデータポートの例はユニバーサルシリアルバス（ＵＳＢ）ポートの様なシリアルポート又はイーサーネット（Ｅｔｈｅｒｎｅｔ）ポートを有する。他の起こり得るポートは本開示の特典を与えられた当業者には明らかであろう。他の実施例では、該遵守ゾーン指示器１１０の送信器２００と受信器２２０は該遵守ゾーン指示器１１０に対してデータを行ったり、来たりして伝送するのに使われる。
【００３２】
ＩＩＩ．着用デバイス
該システム１００はまた、着用デバイス１２０を有する。着用デバイス１２０は、該着用デバイスがどんな特定の遵守ゾーンに於いても相互作用する遵守ゾーン指示器１１０とは別になっている。使用時、ユーザーは着用デバイス１２０を着用するのが典型的であるが、それは遵守ゾーン１３０との着用者の相互作用を追跡するためである。該着用デバイス１２０は遵守ゾーン１３０を認識し、該遵守ゾーン１３０用の１つ以上の予め規定された相互作用基準を識別するよう構成された遵守ゾーン認識部品１４０を有する。遵守ゾーン認識部品１４０の例示用実施例は図４に図示する。
【００３３】
図４に図示する例示用実施例では、該遵守ゾーン認識部品１４０は受信器４００，フィルター４０２，制御器４０４，送信器４４０、そして計算デバイス４１０を有する。
【００３４】
受信器４００は、遵守ゾーン指示器１１０から送信される信号の様な超音波周波数範囲内の信号を受信するよう最適化された、適当な音響から電気への変換器又はセンサー、例えばマイクロフォンである。受信器４００により受信された音響信号に対応する電気信号
は、遵守ゾーン認識部品１４０内のＲＣ回路フィルター４０２によりフィルターされる。該ＲＣ回路フィルター４０２は超音波周波数範囲に対応する信号のみが通過することを可能にする。
【００３５】
受信器４００は、例え該受信器が何時も超音波信号を聴いていても、低電力で動作するよう構成されている。制御器４０４はプロセッサ４２０の動作を制御するようプログラムされ、着用デバイス１２０の動作中は普通はオフに保たれる。該制御器４０４とプロセッサ４２０は、該フィルター４０２が該超音波周波数範囲に対応する信号を検出し、これらの信号にフィルター４０２を通過させ、そしてこれらの信号を出力する時のみ、オンに切り替わる。該制御器４０４と該プロセッサ４２０は、他の時間、例えば受信器４００が遵守ゾーンを確立しない可聴音を受信した時は、オフに保たれている。制御器４０４とプロセッサ４２０のこの選択的起動は、着用デバイス１２０がさもなければ消費すると思われる電力を減じる。
【００３６】
電力はまた、制御器４０４のクロックとして作用する高精度水晶発振器４０３を保持するためにも消費される。制御器クロックによる電力消費を最小化するために、制御器４０４のタイミングは、高精度水晶発振器４０３の代わりに、制御器４０４内に組み込まれた低精度ＲＣ又はＬＣ発振器４０５を使って保たれる。該ＲＣ又はＬＣ発振器４０５タイマーは抵抗器又は電流源を通してのキャパシターの充電及び放電に基づく。該ＲＣ又はＬＣ発振器４０５の精度は水晶発振器４０３より低く、かくして該システムは或る誤差マージンを許容出来なければならない。かくして、該フィルター４０２は受信信号で理想周波数の２％上又は２％下の搬送波周波数の受信信号を認める。
【００３７】
着用デバイス１２０内の電力消費を更に減じるために、着用デバイス１２０は該デバイスの着用者が動いているか又は静止しているかを検出する運動センサー４０１を装備してもよい。静止して立っている着用者は彼／彼女の近傍内の遵守ゾーンに関して新しく情報を受信しそうではない。該運動センサー４０１は該着用者が静止していることを検出すると、制御器４０４は、電力を消費する該着用デバイス１２０の部品、例えばフィルター４０２及びプロセッサ４２０、をオフに切り替える。制御器４０４は、該運動センサーが、該着用者が動きをスタートしたことを検出すると該部品を次にオンに切り替える。
【００３８】
好ましくは、受信器４００は遵守ゾーン指示器１１０の送信器２００と同じ種類であるのがよく、そうすれば該指示器は着用デバイスが遵守ゾーンを指示する遵守ゾーン指示器１１０からの送信を受信することを可能にするからである。或る実施例では、着用デバイス１２０は種々の種類の多数の受信器を有してもよい。或る実施例では、該受信器４００は着用デバイス１２０を構成するための信号を受信するため使われてもよい。例えば、遵守ゾーン１３０用の予め決められた又は予め規定された基準は該着用デバイス１２０で受信された信号により構成されてもよい。同様に、該着用デバイス１２０は該着用デバイス１２０を着用する特定ユーザーと関係するよう構成されてもよい。例えば、各着用デバイス１２０は特定ユーザーと組み合わされ得る独特の識別番号を有してもよい。
【００３９】
計算デバイス４１０はプロセッサ４２０と記録可能な媒体４３０とを有する。該プロセッサ４２０は、受信器４００とインターフェースで接続することが出来て、遵守ゾーン１３０を認識するよう該受信器により受信された信号を処理し、該遵守ゾーン１３０用の予め規定された相互作用基準を識別し、該相互作用基準の遵守を判定し、そして該相互作用基準の遵守があったか否かを記録するようプログラムされた、何等かの適当なプロセッサであってもよい。適当なプロセッサは本開示の特典を与えられる当業者には明らかであろう。該記録可能な媒体４３０は、相互作用基準を含む該プロセッサ４２０用のインストラクションと、該相互作用基準の遵守を含む該プロセッサ４２０により得られる又は発生されるデータと、を記憶するため使われる。この様なデータは遵守ゾーン１３０との何等か
の相互作用の日付、時刻、そして結果を含む。該記録可能な媒体４３０は該着用デバイス１２０と一体で、又は該着用デバイス１２０から分離して、提供されるメモリーデバイスである。他の好適な記録可能な媒体は本開示の特典を与えられた当業者には明らかであろう。
【００４０】
例示用実施例では、受信器４００で受信された超音波信号はデータで符号化される。この実施例では、着用デバイス１２０のプロセッサ４２０は該受信超音波信号を処理し、該超音波信号内の符号化されたデータを復号するようプログラムされる。
【００４１】
或る実施例では、遵守ゾーン認識部品１４０は１つ以上の送信器４４０を更に有してもよい。該１つ以上の送信器４４０は該着用デバイス１２０から超音波信号を送信するよう構成される。本発明の或る実施例に依れば、該着用デバイスは多数の送信器を有してもよい。
【００４２】
或る実施例では、該１つ以上の送信器４４０はトランスポンダー構成で、受信器４００と連携して使われてもよい。この様な構成では、該１つ以上の送信器４４０は、該遵守ゾーン指示器１１０の受信器２２０へ問い合わせ信号を送信し、該指示器が今度は該遵守ゾーン指示器１１０の送信器２００からの応答信号を送信する。或るこの様な実施例では、該遵守ゾーン認識部品１４０の該１つ以上の送信器４４０により送信される信号は、該遵守ゾーン指示器１１０により送信される信号の範囲及び／又は種類を判定する。
【００４３】
図５Ａ及び５Ｂは着用デバイス１２０の例示用実施例を図示し、該着用デバイスはバッジ５００である。該バッジは標準的特定施設向け識別バッジの形であってもよい。図５Ａは該バッジ５００の正面図を画く。図５Ｂは該バッジ５００の背面図を画く。
【００４４】
該バッジ５００は遵守ゾーン認識部品１４０を有するハウジング５１０を備える。該ハウジング５１０はクリップ又はランヤードをバッジ５００に取り付けるための貫通孔５１２を有する。該ハウジング５１０はプラスチック又は他の適当な材料製であってもよい。該バッジ５００の前には、該バッジの着用者用の識別情報が提供される。これは該バッジに関係する人の写真５２０のみならず、関係する人の名前５２２及び身分５２４を有してもよい。実施例では、該バッジ５００は外部受信器５３０及び／又は外部送信器５３２を更に有してもよい。好ましくは、再充電可能な又は取り換え可能なバッテリーの様なバッテリーが該バッジ５００に給電するのがよい。或る実施例では、バッジ５００は、データ転送及びバッテリー充電用に使われるＵＳＢの様なポート又はイーサーネットポートを有してもよい。
【００４５】
或る実施例では、該着用デバイス１２０は、遵守ゾーンに入る時又は遵守ゾーン内部に居る時、遵守ゾーンの通告を提供することが出来る。該通告は可聴式、可視式、触覚式又はそれらの何等かの組み合わせであってもよい。図５Ａ及び５Ｂの例では、可視式の通告は、図５Ａに示す様なバッジ５００の前側上の発光ダイオード（ＬＥＤ）の様な点灯指示器５４０により提供される。可聴式の通告又は警報は図５Ｂで示す様なバッジ５００の後ろ側に備えられるスピーカー５５０により提供される。触覚式通告は振動により提供されてもよい。
【００４６】
或る実施例では、該着用デバイス１２０は該バッジの着用者が遵守ゾーン用の相互作用基準を遵守していない通告を追加して提供する。着用デバイスが非遵守モードに入ると、非遵守の通告は可聴式でも、可視式でも或いは触覚式でもよい。図５Ａ及び５Ｂの例では、可視式通告は、図５Ａに示すバッジ５００の前側の発光ダイオード（ＬＥＤ）の様な点灯指示器５６０により提供されてもよい。可聴式通告は、図５Ｂに示すバッジ５００の後ろ側に備えられるスピーカー５５０により提供されてもよい。触覚式通告は振動により提
供されてもよい。
【００４７】
或る実施例では、無効化が該着用デバイス１２０上で提供される。該無効化はユーザーが着用デバイス１２０により提供される非遵守の通告をオフに切り替えることを可能にする。該無効化は、ユーザーが該無効化を選択することを可能にするバッジ５００上に提供されるボタン又はスイッチ５７０で行われてもよい。或る実施例では、該無効化は着用デバイス１２０上で実行されるソフトウエアにより提供されてもよい。該無効化の利用可能性は着用デバイスの着用者の身分又は役割に左右される。すなわち、着用デバイスの或る着用者は、該着用者に利用可能な無効化のオプションを有しない。例えば、病院環境で、医師は無効化のオプションを有し、一方ハウスキーピングスタッフは有しない。或るこの様な実施例では、無効化の使用は着用デバイス１２０上に、又は該システムの他の所に、記録される。
【００４８】
図６Ａ及び６Ｂは着用デバイスの１つの例示用実施例を図示し、該着用デバイスはバッジホルダー６００であり、該着用デバイスは標準的特定施設向け識別バッジに取り付けられるよう構成される。図６Ａはバッジホルダー６００の正面図を図示する。図６Ｂは該バッジホルダー６００の背面図を図示する。
【００４９】
図５Ａ及び５Ｂのバッジ５００と同様に、バッジホルダー６００は遵守ゾーン認識部品１４０を有するハウジング６１０を備える。該ハウジング６１０はクリップ又はランヤードを該バッジホルダー６００へ取り付ける貫通孔６１２を有する。該ハウジング６１０はプラスチック又は他の適当な材料で作られる。該バッジホルダー６００は従来の識別バッジと対になる。該バッジホルダー６００は識別バッジを受け、保持するよう設計された範囲６２０を有する。好ましくは、該バッジホルダー６００が再充電可能な又は取り換え可能なバッテリーの様なバッテリーで給電されるのがよい。或る実施例では、該バッジ５００はデータ転送用及び該バッテリー充電用に使われてもよいＵＳＢの様なポート又はイーサーネットポートを有してもよい。
【００５０】
図５Ａ及び５Ｂのバッジ５００に於ける様に、バッジホルダー６００は、該バッジホルダー６００が遵守ゾーン１３０に入ったこと、又は遵守ゾーン１３０内に居ること、の通告を提供してもよい。該通告は可聴式、可視式、触覚式又はそれらの何等かの組み合わせであってもよい。図６Ａ及び６Ｂの例では、可視式通告は図６Ａで示す様にバッジホルダー６００の前側の発光ダイオード（ＬＥＤ）の様な点灯指示器６４０により提供される。可聴式通告は図６Ｂに示す様にバッジホルダー６００の後ろ側に提供されるスピーカー６５０により提供される。触覚式通告は振動により提供されてもよい。
【００５１】
該バッジホルダー６００はまた、該バッジの着用者が遵守ゾーン用の相互作用基準を遵守していない通告を提供してもよい。非遵守の通告は可聴式、可視式、触覚式又はそれらの何等かの組み合わせであってもよい。図６Ａ及び６Ｂの例では、可視式通告は図６Ａで示す様にバッジホルダー６００の前側の発光ダイオード（ＬＥＤ）の様な点灯指示器６６０により提供される。可聴式通告は図６Ｂに示す様にバッジホルダー６００の後ろ側に備えられるスピーカー６５０により提供される。触覚式通告は振動により提供されてもよい。
【００５２】
バッジホルダー６００は又無効化機能を備えてもよい。該無効化は、ユーザーが該無効化を選択することを可能にする、バッジホルダー６００上に提供されるボタン又はスイッチ６７０で行われてもよい。該無効化の利用可能性は、着用デバイスの着用者の身分又は役割に左右されてもよい。或るこの様な実施例では、無効化の使用はバッジホルダー６００上に記録される。
【００５３】
ＩＶ．超音波信号内のデータ符号化
遵守ゾーンを確立するために使われる超音波信号はデータで符号化されてもよい。該データは、それらに限定されないが、該超音波信号により確立される遵守ゾーンの種類と特性に関する情報、遵守ゾーン指示器１１０に関する情報、他を有してもよい。各遵守ゾーン指示器は該指示器の超音波信号送信を該データで符号化する。該遵守ゾーン指示器の制御器は、該送信器により送信される超音波信号が該データで符号化されるように該遵守ゾーン指示器の送信器を制御するようプログラムされる。
【００５４】
例示用実施例では、遵守ゾーン指示器により送信される超音波信号内の符号化されたデータは特定遵守ゾーンを識別する。該データはメッセージの形であってもよい。この実施例では、該メッセージは超音波搬送波サイクルの連続するバーストの間のタイミングで符号化される。
【００５５】
各遵守ゾーン指示器は、割り当てられたゾーンＩＤを有するメッセージを規則的間隔で送信する。該ゾーンＩＤは特定の遵守ゾーンを独特に識別する。例えば、全ての手洗浄ステーションにより送信されるゾーンＩＤは特定値、例えば０を有する。他の遵守ゾーン指示器は１から１０２３までの値を有するゾーンＩＤを備える。例示用実施例では、１つより多い遵守ゾーン指示器が同じゾーンＩＤを割り当てられてもよい。しかしながら、着用デバイス１２０を着用した誰かが１分内に間を移動出来る隣接した遵守ゾーンには重複したゾーンＩＤ（ｄｕｐｌｉｃａｔｅ  ｚｏｎｅ  ＩＤ）が割り当てられることはない。
【００５６】
図７は遵守ゾーンを確立するための方法論の１つの例示用実施例のフローチャートである。遵守ゾーン指示器は、遵守ゾーンを確立する超音波信号内の符号化されるべき１５ビットメッセージを受信する（過程７０５）。代わって、該遵守ゾーン指示器は、該遵守ゾーンに関係するゾーンＩＤと、該ゾーンＩＤに関係する周期的冗長検査（ＣＲＣ）チェックサムと、に基づいたメッセージを作成する。この実施例では、該遵守ゾーン指示器は該ゾーンＩＤ及び／又は該ＣＲＣチェックサムを受信するか、又はこれらの値自身を決定する。該遵守ゾーン指示器は１５ビットメッセージを作成するが、それは該メッセージの上位１０ビットを該ゾーンＩＤに、該メッセージの下位５ビットを該ＣＲＣチェックサムに設定することに依る。
【００５７】
該遵守ゾーン指示器は次いで超音波送信器を使って、超音波信号を送信することにより該遵守ゾーンを確立する（過程７１０）。該遵守ゾーン指示器は該超音波信号を１５ビットメッセージで符号化し、該メッセージは該遵守ゾーンを独特に識別するゾーンＩＤを有する。該メッセージは該超音波信号の連続するバーストの間の時間間隔のシーケンスで符号化される。特に、該遵守ゾーン指示器は超音波信号の７つのバーストを周期的に送信し、各バーストは６搬送波サイクルのシーケンスである。該メッセージは該超音波信号の７つのバースト内の、連続するバースト間の６つの時間間隔で符号化され、各名目時間間隔は該メッセージの特定の文字に対応するように符号化される。
【００５８】
超音波信号内のデータ符号化の例示用実施例はここで説明されるパルス、バースト、文字、そしてメッセージに断層化される。
【００５９】
パルス：“パルス”は超音波信号を復号するプロセッサにより受信された入力を示し、該入力は１つの超音波搬送波サイクルが受信されたことを示す。例示用実施例では、該超音波搬送波周波数は約４０ｋＨｚであり、該周波数ではパルスは、該搬送波がオンの時、各２５μｓ毎に起こる。該搬送波周波数は該遵守ゾーン指示器の制御器内に組み込まれた低コスト、低電力のＲＣ又はＬＣタイマー発振器から生成されてもよい。該ＲＣ又はＬＣタイマー発振器は非常に高精度とは言えず、従って、該システムは或る誤差マージンを許容してもよい。この様であるから、例示用実施例では、超音波パルスを受信する超音波受
信器は、該パルスが該受信器に到着する時、搬送波周波数が理想周波数、４０ｋＨｚ、の２％内にあることを期待する。
【００６０】
該超音波パルスが超音波受信器で最終的に受信され、該受信プロセッサ内のファームウエアにより処理される前に、他の誤差が累積され得る。これらの誤差は該送信器の超音波増幅器内の固有のジッターと、該受信器内の固有のジッターとを含む。追加的なジッターが、該時間を基準クロックの整数サイクルに量子化することにより、そして該ファームウエア内でのデータのサンプリングにより、引き起こされる。例示用実施例で、これら及び他の誤差に適合するために、該システムは受信ファームウエア内、すなわち超音波受信プロセッサ内、で８％までの誤差を許容する。すなわち、例示用実施例では、該受信ファームウエアは、パルス間の時間間隔を、もし該時間間隔が２３と２７μｓを含めて２３と２７μｓの間にあれば、有効であると解釈する。
【００６１】
バースト：“バースト”は、連続するパルス間の時間間隔が全て有効な範囲内にある、すなわち上記例示用実施例では２３と２７μｓを含めて２３と２７μｓの間にある様なパルスのシーケンスである。バースト内の連続するパルス間の有効な時間間隔は、該パルスが搬送波周波数で超音波を受信した結果でありそうなことを示す。
【００６２】
図８Ａで図解される例示用実施例では、バースト８００は、有効な時間間隔（ｔ１−ｔ５）を有する６つの連続パルス（８０２−８１２）が受信された時検出される。連続するパルス間の時間間隔は、もし該時間間隔が２３と２７μｓを含めて２３と２７μｓの間にあるなら、有効である。超音波の送信器と受信器の共振のため、最初の数搬送波サイクルは低い振幅で受信され、従って、ことによると全く受信されない。該超音波送信器はかくしてバースト当たり少なくとも８搬送波サイクルを送信する。しかしながら、バースト当たりの搬送波サイクルの数の増加は、超音波信号が該環境内で残存する時間を延ばし、該信号が面から反響し、遅延を伴って受信される可能性を高める。遅延信号の受信を避けるために、該超音波送信器はバースト当たり１０より多い搬送波サイクルを送信しない。すなわち、該超音波送信器はバースト当たり８から１０搬送波サイクルを送信する。
【００６３】
超音波信号の有効なバーストを受信後、超音波受信器は、超音波信号のマルチパス干渉を最小化する又は除くために、ブラックアウト期間の追加パルスを無視する。マルチパス干渉は、ソースからの波が２つ以上の経路を経由して検出器へ達するところ、或る条件では、該波の２つ以上の成分が干渉する現象である。超音波信号は環境周辺で反響し、１つの受信器で多数回受信され得る。バースト間の最小有効時間間隔は、前のバーストからの反響が消滅するように選ばれる。例示用実施例では、バースト間の絶対最小有効時間間隔は３２．２３ｍｓである。該ブラックアウト期間は、該システム内の全ての起こり得る誤差の原因のマージンを含んで、該ブラックアウト期間が次のバーストの第１パルスを受けるのに少なくとも間に合って満了するよう設定される。例示用実施例では、最小ブラックアウト時間は、約１０ｍの伝播距離に対応する３０ｍｓである。例示用実施例では、何等かの望ましいブラックアウト時間が選択され、超音波受信器を構成するよう使われてもよい。
【００６４】
文字：文字は遵守ゾーン指示器により送信されるメッセージの構成要素である。“文字”は２つの連続するバーストの間の１つの時間間隔内で符号化されたデータを表す。２つの連続するバースト間には有効な時間間隔の限られた範囲がある。有効な文字はこの有効な範囲内に収まり、各独特な文字は２つの連続バースト間の予め規定され、名目時間間隔に対応する。該有効範囲外に出る時間間隔はどんな文字にも対応しない。
【００６５】
例示用実施例は９つの有効な文字：メッセージの開始（ＳＯＭ）と０から７の整数値を提供する。該ＳＯＭ文字は１／３２秒（３１．２５ｍｓ）の名目時間間隔に対応する。追加の文字は該ＳＯＭ時間間隔に追加された１／５１２秒（１．９５３ｍｓ）の時間間隔インクレメントに対応し、０の文字は最初であり、７の文字は最後である。すなわち、ＳＯＭ文字時間は１／３２秒（３１．２５ｍｓ）であり、０文字は（１／３２＋１／５１２）秒であり、１の文字は（１／３２＋２／５１２）秒であり、２の文字は（１／３２＋３／５１２）秒であり、３の文字は（１／３２＋４／５１２）秒であり、４の文字は（１／３２＋５／５１２）秒であり、５の文字は（１／３２＋６／５１２）秒であり、６の文字は（１／３２＋７／５１２）秒であり、そして７の文字は（１／３２＋８／５１２）秒（４６．８８ｍｓ）である。
【００６６】
有効な文字時間の間には違反時間はない。上記例示用実施例では、時間間隔は該時間間隔内で符号化された文字を解読するよう最初に１／５１２秒の最も近い倍数に最初に丸められる。すなわち、各文字に関係する有効な時間間隔は名目時間間隔±１／１０２４秒（±９７７μｓ）である。従って、有効な文字時間の範囲は、可能な最小ＳＯＭ文字（１／３２−１／１０２４秒＝３０．２７ｍｓ）と可能な最大の７の文字（１／３２＋８／５１２＋１／１０２４秒＝４７．８５ｍｓ）の間にある。この範囲外のバースト時間間隔は無効である。
【００６７】
メッセージ：“メッセージ”は少なくとも、ゾーンＩＤと、該ゾーンＩＤに関係する周期的冗長検査（ＣＲＣ）チェックサムと、を一緒にしたものを表す。ゾーンＩＤは遵守ゾーンの種類（例えば、手術室、手洗浄ステーション他）を示す該遵守ゾーンに関係する識別子であってもよく、及び／又は該遵守ゾーンに関係する独特の識別子（例えば、手術室番号１４，手洗浄ステーション４３，他）であってもよい。該ＣＲＣチェックサムは、メッセージの有効性を判定する、例えば、メッセージが超音波信号の送信中変えられたかどうかを判定する、ために使われる数である。
【００６８】
メッセージは文字の特定のシーケンスである。メッセージのサイズはかくしてメッセージ内の文字の数に依る。各文字は超音波信号の２つの連続するバースト間の１つの時間間隔内で符号化される。かくして、メッセージのサイズは該メッセージを組み入れるバーストの数により決定される。すなわち、メッセージを形成するバーストの数が大きい程、該メッセージは大きい。
【００６９】
適当なメッセージのサイズと対応するバーストの数は、例示用実施例で使用するために選択される。遵守ゾーン指示器はメッセージ当たりのバースト数に従い超音波信号を周期的に送信する。非常の大きい数のゾーンＩＤを必要とする非常に大きい施設では、メッセージサイズ及びメッセージ当たりバースト数も同じく非常の大きい。他方、小さな施設では、メッセージサイズ及びメッセージ当たりバースト数は小さい。
【００７０】
図８Ｂで図解される例示用実施例では、メッセージ８２０は連続する６つの有効文字の特定シーケンスであり、該文字は連続した７つのバースト内の連続するバースト間の６つの名目時間間隔に対応する（８２２−８３４）。最初の文字はＳＯＭ（メッセージのスタート）文字であり、残りの文字はデータ文字（０−７）である。各文字はメッセージ（Ｔ１−Ｔ６）内の２つの連続するバースト間の１つの時間間隔内で符号化される。かくして、該メッセージは７つの有効なバースト内の連続するバースト間の時間間隔のシーケンス内で符号化される。
【００７１】
図８Ｃで図解される様に、メッセージ８３０は１５ビットの情報を有し、該メッセージの１０の最上位ビットはゾーンＩＤ８３２に対応し、該メッセージの５つの最下位ビットは該ゾーンＩＤ用のＣＲＣチェックサム８３４に対応する。
【００７２】
全てのメッセージはＳＯＭ文字で始まり、この文字は他では現れないので、受信される
ＳＯＭ文字は常に新メッセージのスタートとして解釈される。それで、ＳＯＭ文字が受信されると、前のメッセージは捨てられる。これは、どんなパルスのシーケンスが該メッセージのスタートに先行するかに関係なく、メッセージのスタートが常に認識され得ることを保証する。すなわち、超音波受信器は、該受信器がメッセージ内で何処にいるか考えることに関係なく、常にメッセージのスタートに“耳をそばだてている”。
【００７３】
完全なメッセージは、有効なパルス、バースト、文字そしてメッセージ用の上記ルールがメッセージ全体に亘って守られている場合のみ受信される。メッセージは、もしこれらのルールの何れかが該メッセージ上で破られていれば直ちに捨てられる。
【００７４】
もしパルス又はバーストのレベルでルール違反が検出されるなら、メッセージ解読ロジックはリセットされる。すなわち、該メッセージは捨てられ、受信された次のパルスがメッセージの最初のバーストの最初のパルスであると仮定される。
【００７５】
メッセージの最後のバーストはまた、次のメッセージの最初のバーストであってもよい。すなわち、完全なメッセージが受信された後、メッセージ解読ロジックは、ＳＯＭ文字をスタートさせるのでなく、ＳＯＭ文字を終わらせるよう次のバーストに期待することへリセットされる。
【００７６】
図９は超音波信号内の符号化されたメッセージを復号するため使われる、メッセージ解読ロジックの１つの例示用実施例のフローチャート９００を図示する。該メッセージ解読ロジックは着用デバイスで受信された超音波信号内の符号化されたメッセージの復号で着用デバイスによりフォローされる。着用デバイスのプロセッサは受信超音波信号を処理し、該超音波信号内の符号化されたデータを復号するようプログラムされる。
【００７７】
超音波信号のパルスは超音波受信器で受信される（過程９０５）。もし６つの有効なパルスが受信されたら（過程９１０）、超音波信号の有効なバーストが受信された（過程９１５）。しかしながら、もし６つの有効なパルスが受信されなかったなら（過程９１０）、メッセージ解読ロジックは現在のパルスが有効かどうかを判定する（過程９２０）。もし現在のパルスがバースト内の第１パルスなら、現在のパルスは有効と考えられる。しかしながら、もし現在のパルスがバーストの第１パルスでないなら、該パルスは、現在のパルスと直前のパルスの間の時間間隔が２３と２８μｓの間にある場合のみ有効である。もし現在のパルスが有効でないなら、メッセージ解読ロジックは中止される（過程９２５）。すなわち、次の受信パルスが新メッセージの第１バーストの第１パルスであると仮定される。しかしながら、もし現在のパルスが有効なら、次のパルスが受信される（過程９１０）。
【００７８】
もし６つの有効なパルスが受信されたら、超音波信号の有効なバーストは受信された（過程９１５）。もし７つの有効なバーストが受信されたら（過程９３０）、有効なメッセージが受信された（過程９３５）。この場合、直ぐ次のバーストが新メッセージの第２バーストであると期待される（過程９４０）。
【００７９】
しかしながら、もし７つの有効なバーストが未だ受信されないなら（過程９３０）、メッセージ解読ロジックは現在のバーストが有効かどうかを判定する（過程９４５）。もし該現在のバーストがメッセージ内の第１バーストであるなら、該現在のバーストは有効と考えられる。もし該現在のバーストが該メッセージの第２バーストなら、該現在のバーストは、該現在のバーストと直前のバーストの間の時間間隔がＳＯＭ文字に対応する、すなわち（１／３２±１／１０２４）秒である場合のみ有効である。もし現在のバーストが該メッセージ内の第３から第７のバーストなら、該現在のバーストは、該現在のバーストと直前のバーストの間の時間間隔がデータ文字（０−７）に対応する場合のみ有効である。
【００８０】
もし現在のバーストが有効でないなら、メッセージ解読ロジックは中止される（過程９５０）。次の受信パルスが新メッセージの第２バーストの第１パルスであると仮定される。しかしながら、現在のバーストが有効なら、該メッセージの次のバーストの次のパルスはブラックアウト期間後に受信される（過程９５５）。該ブラックアウト期間は、該現在のパルスを受信した時刻からで、かつその間、更なるパルスを受信しない少なくとも３０ｍｓである。すなわち、次のパルスは現在のパルスが受信された後少なくとも３０ｍｓで受信される。
【００８１】
メッセージ有効化：図８Ｃで図解されるように、各１５ビットメッセージの下位５ビットは周期的冗長検査（ＣＲＣ）チェックサム８３４である。ＣＲＣは、超音波信号で送信された生のゾーンＩＤ８３２への偶発的な変化を検出するよう設計されたノンセキュアハッシュ関数（ｎｏｎ−ｓｅｃｕｒｅ  ｈａｓｈ  ｆｕｎｃｔｉｏｎ）である。遵守ゾーン指示器は各ゾーンＩＤ用に、ＣＲＣチェックサムとして知られる短い、固定長の２進の数列を計算する。遵守ゾーン指示器は、メッセージの下位５ビットを該ＣＲＣチェックサムに、該メッセージの上位１０ビットを該ゾーンＩＤに、設定することにより１５ビットメッセージを創る。かくして、遵守ゾーン指示器により送信された超音波信号は、該ゾーンＩＤ及びＣＲＣチェックサムの両者を含むメッセージで符号化される。
【００８２】
図１０はメッセージのＣＲＣチェックサムを計算する例示用の方法のフローチャートである。この方法は、超音波信号内に符号化されるメッセージ内へ組み込むためにＣＲＣチェックサムを決定するよう遵守ゾーン指示器によりフォローされる。１５ビットメッセージワードはゾーンＩＤへ初期化される（過程１００５）。５ビットのＣＲＣアキュミュレーターは２進値１１０１０に初期化される（過程１０１０）。該メッセージワードは左へ１ビットだけシフトされ、そして最上位ビットからシフトされたビットがセーブされる（過程１０１５）。ＣＲＣアキュミュレーターは左へ１ビットだけシフトされる（過程１０２０）。該ＣＲＣアキュミュレーターの最下位ビット内へシフトされたビットは、過程１０１５で最上位ビットからシフトされたビットであり、該ＣＲＣアキュミュレーターの最上位ビットからシフトされたビットはセーブされる。もし過程１０２０でＣＲＣアキュミュレーターからシフトされたビットが１であるなら（過程１０２５）、該ＣＲＣアキュミュレーターは２進値１１０１０との排他的論理和を計算される（過程１０３５）。他方、過程１０２０でＣＲＣアキュミュレーターからシフトされたビットが０ならば、何等アクションはなされない（１０３０）。過程１０１５−１０３５が１４ケの残りメッセージビットの各々用に１回繰り返される。該手順の終わりで、該ＣＲＣチェックサムが該ＣＲＣアキュミュレーター内に残される（過程１０４０）。
【００８３】
該着用デバイスが超音波信号を受信すると、該着用デバイスはメッセージを復号するために該信号を処理する。該着用デバイスは該メッセージの上位１０ビットからゾーンＩＤを抽出し、該メッセージに対応する新ＣＲＣチェックサムを計算する。もし該着用デバイスにより計算された新ＣＲＣチェックサムが非ゼロであるなら、該メッセージはデータ誤りを有し、該着用デバイスは該メッセージを捨てる。しかしながら、もし該着用デバイスにより計算された新ＣＲＣチェックサムがゼロであるなら、該メッセージには誤りはなく、着用デバイスは該メッセージの上位１０ビットからゾーンＩＤを抽出する。該メッセージのＣＲＣチェックサムビットは最早必要でなく、この点で捨てられる。
【００８４】
図１１はＣＲＣチェックサムを使ってメッセージの有効性を決める例示用方法のフローチャートである。この方法は、遵守ゾーンを確立する超音波信号を受信する着用デバイスによりフォローされる。該１５ビットメッセージのＣＲＣチェックサムは、例えば図１０に図示する方法論に基づき計算される（過程１１０５）。もし計算されたＣＲＣチェックサムが０であるなら（過程１１１０）、該メッセージは有効、すなわち誤りがない、と考
えられる（過程１１２０）。この場合に、ゾーンＩＤは該メッセージの上位１０ビットから抽出され、下位５ビットは捨てられる（過程１１２０）。しかしながら、該計算されたＣＲＣチェックサムが０でないなら（過程１１１０）、該メッセージは有効でない、すなわち誤りを有する、と考えられる（過程１１１５）。この場合、該メッセージは捨てられる（過程１１１５）。
【００８５】
Ｖ．相互作用基準
前に論じた様に、遵守ゾーン１３０を認識すると、着用デバイス１２０の遵守ゾーン認識部品１４０は、該遵守ゾーン１３０についての相互作用基準を識別する。該相互作用基準は遵守ゾーンと相互作用するためのルール又は要件であってもよい。例えば、遵守ゾーン１３０は危険な物質を有する範囲用に提供されてもよい。かくして、遵守ゾーン１３０用の相互作用基準は、着用者が危険な物質を取り扱うよう訓練されているか、さもなければ認証されていることである。もう１つの例では、遵守ゾーン１３０は分類された範囲用に提供されていてもよい。かくして、遵守ゾーン１３０用の相互作用基準は或るレベルより上の安全保証であってもよい。
【００８６】
本発明の或る実施例に依れば、遵守ゾーン１３０の相互作用基準は一時的要求を含めてもよい。例えば、危険物質範囲の例では、危険物質への暴露用の安全な制限時間が設けられてもよい。他の実施例では、相互作用基準の遵守の制限時間があってもよい。例えば、遵守ゾーン１３０内の着用デバイスの着用者は或る時間長さ内に要求を完了せねばならない。なお他の実施例では、相互作用基準自体は時刻に基づき導き出されてもよい。例えば、夜間は安全目的で施設の閉鎖があってもよい。換言すれば、遵守ゾーン１３０は日中用の１セットの相互作用基準と、夜間用のもう１セットの相互作用基準を持つか、或いは２４時間通して種々の規準の或る他の組み合わせを持つか、或いは日、月又は年に基づき種々の基準の或る他の組み合わせを持ってもよい。
【００８７】
或る実施例では、該相互作用基準はバイオハザード要件及び／又は通知であってもよい。例えば、遵守ゾーン１３０はウイルス研究が行われる範囲用に提供されてもよい。相互作用基準は、バイオハザードを含む範囲全般に適用する警告を有する、のみならず遵守ゾーン１３０内の人は化学防護服を使用する様な安全対策に着手する要求を有してもよい。
【００８８】
本発明の１例の実施例では、該相互作用基準は認可条件でもよい。例えば遵守ゾーン１３０は病院に於ける伝染性の強い患者用に提供されてもよい。かくして、遵守ゾーン１３０用の相互作用基準は感染性医薬品の認可保有であってもよい。
【００８９】
或る実施例では、着用デバイスを着用したユーザーの身分又は役割が遵守ゾーン１３０用の相互作用基準に含められてもよい。例えば、病院用の設定では、遵守ゾーン認識部品１４０により得られた相互作用基準は医師用とハウスキーパー用とが異なってもよい。同様に、個別医師は同じ遵守ゾーン１３０用に異なる相互作用基準を有してもよい。
【００９０】
本発明の或る実施例に依れば、該相互作用基準はまた、遵守ゾーン１３０の退出に関する要求を有してもよい。例えば、もし遵守ゾーン１３０がバイオハザードゾーン用に提供されるなら、該相互作用基準は着用デバイス着用者が遵守ゾーン１３０を離れた後除染除去範囲を訪れる要求を有してもよい。
【００９１】
該相互作用基準は多数の応用に役立つように、どんな数の実行、構成、要求、及び／又は並べ替えでも許容するよう構成可能である。或るこの様な実施例では、相互作用基準を構成する能力が制限されてもよく、相互作用基準を構成しようとするアクセスは権限や真正証明を、或いはそれら両者を要求されてもよい。例えば、管理者のみが相互作用基準を構成出来ることが望ましいかも知れない。他の実施例では、種々のユーザーが相互作用基
準を構成するための種々の特権を有してもよい。
【００９２】
図１２は遵守ゾーンの確立と、該ゾーンとの相互作用のモニタリングと、のための例示的方法のフローチャート１２００である。例えば、図示された方法は図１で図示されたシステムで実施されてもよい。該方法は信号を送信する遵守ゾーン指示器１１０で始まる（過程１２１０）。該信号の送信は遵守ゾーン１３０を規定する。或る実施例では、該信号は着用デバイス１２０からの信号に応答して遵守ゾーン指示器１１０から送信される（過程１２０５）。該着用デバイス１２０は、該着用デバイス１２０が遵守ゾーン１３０内にある時該信号を受信する（過程１２２０）。或る実施例では、該着用デバイス１２０は該遵守ゾーン１３０に進入があった、又は該着用デバイス１２０が遵守ゾーン１３０内にある、と云う通告を提供する（過程１２１５）。例えば、可聴式、可視式、及び／又は触覚式警報の様な警報が提供されてもよい。該着用デバイス１２０はユーザーにより着用されるので、何等のこの様な提示又は警報は、追加のインフラストラクチャーを要せずに、微細にそして直接に該ユーザーへ提供されてもよい。特定ユーザーへのこの様な微細なそして直接の提示又は警報は、該着用デバイス１２０の近傍にいる全ての患者又は顧客へのアラームを最小化する。着用デバイス１２０の通信能力はまた、ユーザーが該着用デバイス１２０と相互作用することを可能にする。
【００９３】
該着用デバイス１２０の遵守ゾーン認識部品１４０は次いで、該超音波信号内の符号化された情報を復号するために該受信超音波信号を処理する。例えば、該情報は該超音波信号により確立された遵守ゾーンの種類及び／又は特性を有してもよい。該遵守ゾーン認識部品１４０は該受信超音波信号の符号化された情報に基づき、該遵守ゾーン用の相互作用基準を識別する（過程１２２５）。該遵守ゾーン認識部品は次いで相互作用基準に従ってアクションし、例えば該相互作用の要求の着用者への実時間提示を提供したり（例えば、ライトを閃かしたり又はビープ音を鳴らすことにより）、或いは該相互作用基準を遵守する超音波信号を送信及び／又は受信する。該着用デバイス１２０の該遵守ゾーン認識部品１４０は識別された相互作用基準の遵守を判定し、記録する（過程１２３０）。或る実施例では、該着用デバイス１２０はまた、非遵守の通告を提供してもよい（過程１２３５）。例えば、可聴式、可視式、及び／又は触覚式警報の様な警報又はアラームが提供されてもよい。
【００９４】
ＶＩ．手洗浄要求を特徴とする病院例
ここに表明した概念のより良い理解のために、特定目的用に特定施設で展開された下記システム例を提供する。該例の展開は病院で行われ、例えば手洗浄、手袋着用、消毒、他の様なバリア防護要求の強制を目的とする。簡単のため、この例は手洗浄を参照して説明される。しかしながら、該システムの能力はどんな種類のバリア防護要求へも拡張される。
【００９５】
図１３は病院内で手洗浄要求を強制するシステムの例示用実施例を図示する。しかしながら、本発明はここに説明される特定例に何等限定されないことは注意されるべきである。これらの例は単に図解目的で提供される。
【００９６】
図１３で、システム１３００は病院環境で展開された。この実施例では、システム１３００は多数の遵守ゾーン指示器１３０５Ａ及び１３０５Ｂと着用デバイス１３４５とを有する。この実施例で、該システム１３００はベースステーション１３５０と、多数の手洗浄ステーション１３２５Ａ及び１３２５Ｂと、を更に有する。
【００９７】
手洗浄ステーション１３２５Ａ及び１３２５Ｂは、個人の手をクリーンにし、衛生的にし、そして／又は消毒するため使われる水及び石鹸、手用殺菌剤ディスペンサー、等を供給するシンクであってもよい。該手洗浄ステーション１３２５Ａ及び１３２５Ｂはそれぞ
れ送信器１３３０Ａ及び１３３０Ｂを有する。送信器１３３０Ａ及び１３３０Ｂはそれぞれの手洗浄ステーション１３２５Ａ及び１３２５Ｂが使用されたことを示す信号の様なデータを送信するよう構成される。該送信器１３３０Ａ及び１３３０Ｂは超音波送信器である。本発明の或る実施例に依れば、送信器１３３０Ａ又は１３３０Ｂが着用デバイス１３４５により受信され得る信号の種類で送信する限り、種々の種類であってもよい多数の送信器であってもよい。本発明の或る実施例に依れば、該手洗浄ステーション１３２５Ａ及び１３２５Ｂは、該着用デバイス１３４５から送信される問い合わせ信号に応答して、信号が該手洗浄ステーション１３２５Ａ及び１３２５Ｂから送信されるトランスポンダー構成を許容する受信器（示されてない）を更に装備してもよい。該送信器に於ける様に、該受信器は超音波受信器である。或るこの様な実施例では、該送信器１３３０Ａ又は１３３０Ｂはまた、トランスポンダー構成の受信器と連携して使われてもよい。
【００９８】
本例では、遵守ゾーン指示器１３０５Ａ及び１３０５Ｂは、それぞれ室１３２０Ａ及び１３２０Ｂ内の患者ベッド１３１０Ａ及び１３１０Ｂ付近の遵守ゾーン１３１５Ａ及び１３１５Ｂを提供するよう置かれる。室１３２０Ａ及び１３２０Ｂはまた、それぞれ手洗浄ステーション１３２５Ａ及び１３２５Ｂを有する。
【００９９】
医師又は看護師の様な病院スタッフメンバー１３４０は着用デバイス１３４５を着用する。図１３の実施例で、該スタッフメンバー１３４０は室１３２０Ａ及び１３２０Ｂの外側の廊下１３３５に居る。該廊下１３３５もまた、該ベースステーション１３５０が配置されるナースステーション１３５５を有する。
【０１００】
手洗浄要求を強制するために、該システム１３００は、（着用デバイス１３４５を着用する）病院スタッフメンバー１３４０が遵守ゾーン１３１５Ａ又は１３１５Ｂに入った時、病院スタッフメンバー１３４０が遵守ゾーン１３１５Ａ又は１３１５Ｂに入る直前に彼又は彼女の手を洗浄したかどうかの判定が該着用デバイス１３４５により行われる。もし病院スタッフメンバー１３４０が彼等の手を洗浄したなら、該着用デバイス１３４５は該手洗浄要求の遵守を記録する。もし病院スタッフメンバー１３４０が彼／彼女の手を洗浄しなかったなら、該着用デバイス１３４５は、該手洗浄要求の遵守を求める警報又は催促を発する。バッジ５００及びバッジホルダー６００の実施例に関して上記で述べた様に、該警報又は催促は可聴式、可視式、触覚式又はそれらの何等かの組み合わせであってもよい。警報が発せられた後、病院スタッフメンバー１３４０は無効化を作動させるか、該警報に応答し彼等の手を洗浄するか、或いは該警報に応答するが彼等の手を洗浄しないかも知れない。もし無効化が作動するなら、着用デバイス１３４５は無効化が作動したことを記録する。もし病院スタッフメンバー１３４０が該警報に応答して彼等の手を洗浄するなら、着用デバイス１３４５は該着用者の手は該警報が発せられた後洗浄されたことを記録する。もし、予め選択された時間長さ（例えば、３０ｓ）の後、該病院スタッフメンバー１３４０が該警報に応答して彼等の手を洗浄しないなら、着用デバイス１３４５は該手洗浄要求の非遵守を記録する。
【０１０１】
該着用デバイス１３４５は、該病院スタッフメンバー１３４０が彼等の手を洗浄したかどうかを判定出来るよう、該着用デバイス１３４５は手洗浄ステーション１３２５Ａ及び１３２５Ｂとの相互作用を記録するよう構成された手洗浄モニターを備える。
【０１０２】
図１４は図１３のシステムの１部分のブロック線図を図示する。特に、図１４はお互い間で相互作用するよう構成された着用デバイス１４０５及び手洗浄ステーション１４１５を有するシステム１４００の例示用実施例を特定的に図示している。該着用デバイス１４０５は該手洗浄ステーション１４１５との相互作用の経過を追うよう構成された手洗浄モニター１４１０を有する。該手洗浄ステーション１４１５はまた、該手洗浄ステーション１４１５の使用の経過を追うモニター１４２０を有してもよい。
【０１０３】
手洗浄ステーション１４１５のモニター１４２０は該手洗浄ステーションの使用を追跡するよう構成されてもよい。例えば、もし手洗浄ステーションがシンクならば、該モニター１４２０は蛇口及び石鹸ディスペンサーの使用を追跡してもよい。もし該手洗浄ステーション１４１５が手殺菌剤ディスペンサーであるなら、該モニター１４２０は該ディスペンサーの使用を追跡してもよい。もし該モニター１４２０が該手洗浄ステーション１４１５は使われたことを検出するなら、モニター１４２０は、該手洗浄ステーションが使われたことを示す“洗浄スタンプ”の様な信号を送信するよう該手洗浄ステーションに命じてもよい。或る実施例では、送信される信号は独特であってもよい。例えば、手洗浄ステーション１４１５により送信される“洗浄スタンプ”は該手洗浄ステーション１４１５の識別番号を有してもよい。該“洗浄スタンプ”はまた、時刻及び日付の様な他の情報を有してもよい。
【０１０４】
手洗浄ステーション１４１５がトランスポンダー構成を有する或る実施例では、モニター１４２０は、使用を示す信号が応答して送られる前に、着用デバイス１４０５から受信される信号を待ち受ける。或る実施例では、該モニター１４２０は該手洗浄ステーション１４１５の各使用を記録する。トランスポンダー構成を有する実施例では、該記録されたデータは、該手洗浄ステーション１４１５と相互作用する着用デバイス１４０５用の識別情報を有してもよい。記録されたデータは次いでアクセスされ、レビューされてもよい。
【０１０５】
着用デバイス１４０５の手洗浄モニター１４１０は上記で表明された遵守ゾーン認識部品１４０の部分であってもよく、或いは該モニターは該遵守ゾーン認識部品１４０とは別であってもよい。該手洗浄モニター１４１０は該手洗浄ステーション１４１５から受信される信号を受信するよう構成されてもよい。例えば、該手洗浄モニター１４１０は該手洗浄ステーション１４１５のモニター１４２０により発生された“洗浄スタンプ”と、該受信された“洗浄スタンプ”に関するデータと、の記録を取り、又は他の仕方で記録してもよい。該“洗浄スタンプ”に関するデータは該“洗浄スタンプ”が受信される手洗浄ステーション１４１５の識別番号のみならず、該“洗浄スタンプ”が受信された時刻及び日付も含んでよい。このデータは次いで手洗浄要求の遵守を判定するため使われてもよい。例えば、該病院スタッフメンバーが彼等の手を洗浄したかどうかを判定するために、とりわけ、“洗浄スタンプ”が受信されたか、該スタンプは何時受信されたか、そしてどの手洗浄ステーション１４１５から該スタンプは受信されたか、を示すよう該手洗浄モニター１４１０により記録された該データが参考にされてもよい。
【０１０６】
前に述べた様に、相互作用基準は時間面を有してもよい。図１３及び１４の手洗浄の例で、該時間面は、手洗浄を示す信号又は“洗浄スタンプ”が遵守ゾーン１３１５Ａ又は１３１５Ｂに入る前の、どのくらい前に受信されたかを含む。例えば、もし最後に受信した“洗浄スタンプ”が遵守ゾーン１３１５Ａ及び１３１５Ｂに入る１５秒より長く前に受信されたなら、病院スタッフメンバー１３４０の手は最早衛生的でない可能性がある。その場合、着用デバイス１３４５は遵守ゾーン１３１５Ａ及び１３１５Ｂの手洗浄要求を遵守するために、もっと最近の“洗浄スタンプ”を要求するよう構成されてもよい。同様に、着用デバイス１３４５は、着用デバイス１３４５が病院スタッフメンバー１３４０が彼等の手を洗浄する要求を示す警報又は催促を発した後“洗浄スタンプ”を受けるのにどれだけ長く掛かったかを記録してもよい。
【０１０７】
例示用実施例では、手洗浄要求を実施する相互作用基準はまた、病院スタッフメンバー１３４０が遵守ゾーン１３１５Ａ又は１３１５Ｂを出た後、彼等の手を洗浄することを要求する。例えば、着用デバイス１３４５は起こり得る感染の広がりを避けるために、遵守ゾーンを出た後、予め選択された時間長さ（例えば、３０秒）内に新しい“洗浄スタンプ”が受けられることを要求してもよい。もし新“洗浄スタンプ”が割り当てられた時間内
に受けられなかったなら、警報又は催促が発せられてもよい。該警報又は催促は可聴式、可視式、触覚式、又はそれらの何等かの組み合わせであってもよい。該警報が発せられた後、病院スタッフメンバー１３４０は無効化を作動させるか、新“洗浄スタンプ”を受けるために該警報に応答して彼等の手を洗浄するか、又は該警報への応答での彼等の手の洗浄を行わないかも知れない。もし該無効化が作動したなら、該着用デバイス１３４５は該無効化が作動したことを記録する。もし該病院スタッフメンバー１３４０が該警報に応答して彼等の手を洗浄するなら、該着用デバイス１３４５は該警報の発せられた後“洗浄スタンプ”が受けられたことを記録する。もし、予め選択された時間長さの後、該病院スタッフメンバー１３４０が該警報に応答して彼等の手を洗浄しないなら、着用デバイス１３４５は彼等の該手洗浄要求の非遵守を記録する。
【０１０８】
相互作用基準の遵守の判定は該相互作用基準により実施される要求又はプロトコルに依る。例えば、図１３及び１４の実施例では、該相互作用基準は手洗浄要求を実施するよう使われる。病院スタッフメンバー１３４０が彼等の手を洗浄したかどうかを判定するためには、“洗浄スタンプ”が使われた。このシステムを実施する方法論の１実施例は図１５で見られてもよい。
【０１０９】
図１５は図１４で図示された着用デバイス１４０５と手洗浄ステーション１４１５の間の相互作用の方法の例示用実施例のフローチャート１５００を図示する。最初に、手洗浄ステーション１４１５が使われたかどうかが判定される（過程１５０５）。これは手洗浄ステーションのモニター１４２０により行われる。次いで、手洗浄ステーションが使われたことを示す“洗浄スタンプ”の様な信号が送信される（過程１５１０）。該“洗浄スタンプ”は次いで受信され、着用デバイス１４０５で記録され、病院スタッフメンバーが彼等の手を洗浄したことを示す（過程１５１５）。或る実施例では、これは着用デバイス１４０５の手洗浄モニター１４１０により行われてもよい。
【０１１０】
図１６は病院内で手洗浄要求を強制する例示用方法のフローチャート１６００を図示する。この方法は図１４のシステムを使って実行されてもよい。病院スタッフメンバーは遵守ゾーン１３１５Ａ及び１３１５Ｂの１つに入る（過程１６０５）。次いで“洗浄スタンプ”が遵守ゾーン１３１５Ａ又は１３１５Ｂに入る前に着用デバイス７２０により受信されたかが判定される（過程１６１０）。もし“洗浄スタンプ”が受信されたなら、着用デバイス１４０５は満足すべき進入を記録する（遵守＃１”）（過程１６１５）。もし“洗浄スタンプ”が遵守ゾーン１３１５Ａ又は１３１５Ｂに入る前に受信されなかったなら、該着用デバイスは警報を発する（過程１６２０）。該着用デバイスは次いで無効化が作動されたかを判定する（過程１６２５）。もし無効化が作動されたなら、着用デバイス１４０５は該作動を記録する（“状態１”）（過程１６３０）。もし該無効化が作動されないなら、着用デバイス１４０５は“洗浄スタンプ”が該警報の後受信されたかを記録する（過程１６３５）。もし“洗浄スタンプ”が受信されたなら、着用デバイス１４０５は満足すべき進入を記録する（遵守＃２”）（過程１６４０）。もし“洗浄スタンプ”が受信されなかったなら、非遵守が記録される（過程１６４５）。
【０１１１】
図１７は遵守ゾーンを離れた後、病院内の手洗浄要求を強制する例示用の方法のフローチャート１７００を図示する。該病院スタッフメンバーは遵守ゾーン１３１５Ａ及び１３１５Ｂの１つを出る（過程１７０５）。該遵守ゾーン１３１５Ａ及び１３１５Ｂを離れてから時間Ｔ１が経過したかが判定される（過程１７１０）。例えば、時間Ｔ１が３０ｓであってもよい。次いで、時間Ｔ１経過の前に“洗浄スタンプ”が受信されたかが判定される（過程１７１５）。もし“洗浄スタンプ”が受信されたなら、着用デバイス１４０５は要件を満たした進入を記録する（“状態２”）（過程１７２０）。もし“洗浄スタンプ”が時間Ｔ１経過前に受信されなかったなら、着用デバイス１４０５は非遵守を記録する（過程１７２５）。
【０１１２】
ＶＩＩ．中断プロトコルを特徴とする病院例
本発明に依るシステムのもう１つの例示用の使用法は手術手順の開始前の手術室内での中断プロトコルの記録及び強制にある。中断プロトコル中は、良好な慣例に依れば、該手術手順に関与する全病院スタッフ、例えば外科医、看護師、麻酔医、他が、正しい患者が正しい手術過程を受けようとしていることを確認するため小休止することを指示される。中断プロトコル中は、スタッフメンバーは該プロトコルのスタートを知らせ、患者の名前及び手術手順の詳細を声を出して読み上げる。該中断プロトコルは、病院スタッフメンバーが彼／彼女が患者の素性又は外科手順の詳細に関し同意しないかどうか声を出して話すことを認めることにより避け得る外科的誤りを防止する。中断プロトコルは、スタッフメンバーが該プロトコル中働き続け、該プロトコル中に読み出される情報へ注意を払うことを欠けることが多いので実施を強制することが難しい。
【０１１３】
図１８は手術室内の中断プロトコルを強制するよう構成された例示用システム１８００を図解する。３人の病院スタッフメンバー１８１０，１８１５及び１８２０が該手術室内の手術手順に関与し、彼等の中のスタッフメンバー１８１０が該中断プロトコルの始動及び実施を担当する指定されたスタッフメンバーである。該システム１８００は該指定されたスタッフメンバー１８１０に取り付けられるか、又は他の仕方で組み合わされる遵守ゾーン指示器１８０５を有しており、該指示器は該指定されたスタッフメンバー１８１０の近傍の遵守ゾーンを指示する超音波信号を送信する。この例示用システムでは、該遵守ゾーンは中で、又は近くでプロトコルが行われるゾーンである。１つ以上の着用デバイスの着用者が該プロトコル中該遵守ゾーンの中又は近くで該プロトコルを遵守するよう期待される。該システム１８００はまた、多数の着用デバイスを有し、該着用デバイスの各々は該手術手順に関与する病院スタッフメンバー１８１０，１８１５及び１８２０により着用されている。該多数の着用デバイスは情報で符号化された超音波信号を使って相互に通信するよう構成されている。
【０１１４】
該中断プロトコルを始動するよう決定すると、該指定されたスタッフメンバーは、例えば、作動ボタンを押すことにより、該遵守ゾーン指示器１８０５を作動させる。該遵守ゾーン指示器１８０５は超音波信号を送信し、それにより該指定されたスタッフメンバー１８１０の近傍に遵守ゾーンを指定する。該超音波信号は、例えば該ゾーンは中断プロトコルが行われる中断プロトコルゾーンである、と云う遵守ゾーンの種類を識別するデータで符号化されていてもよい。該超音波信号内の符号化されたデータはまた、その間、着用デバイスの１人以上の着用者が該中断プロトコルを遵守するよう期待される時間窓のスタートを示してもよい。
【０１１５】
該スタッフメンバー１８１５−１８２０が遵守ゾーン内にいる時、彼等の着用デバイスは該遵守ゾーン指示器１８０５から該超音波信号を受信する。１つの例示用実施例では、該スタッフメンバーの着用デバイスは、該超音波信号の受信に基づき、該遵守ゾーンに関係する中断プロトコルの相互作用基準を識別するようプログラムされてもよい。すなわち、該超音波信号を受信時、そしてオプションでは該信号内のデータの復号時、該スタッフメンバーの着用デバイスは該手術室内で遵守される必要がある中断プロトコルがあることを判定してもよい。加えて、該着用デバイスは該判定に従い１つ以上のアクションを行い、例えば、中断プロトコルがスタートしたことを示すようライトを閃かすか、ビープ音を鳴らしてもよい。もう１つの例示用実施例では、スタッフメンバーの着用デバイスは中断プロトコルの相互作用基準を識別しなくてもよく、従ってアクションをしなくてもよい。
【０１１６】
例示用中断プロトコル中、指定されたスタッフメンバー１８１０は該プロトコルのスタートを知らせ、患者の名前と手術手順の詳細を声を出して読み上げる。他のスタッフメンバーは、該声を出して読まれた情報に対する彼等の同意、不同意、又は未認識を、彼等の
個人の着用デバイスを使って記録することが出来る。例えば、該他のスタッフメンバーの各々は、彼等の同意を示す超音波信号を送信するよう、又は彼等の不同意又は未認識を示すために超音波信号を送信するように、彼／彼女の着用デバイス上のボタンを押してもよい。該超音波信号は、それらに限定しないが、該信号を送信する着用デバイス又はスタッフメンバーを識別する情報、スタッフメンバーの同意、不同意又は未認識に関する情報、他を含む情報で符号化されてもよい。例示用実施例では、該情報は、該スタッフメンバーの着用デバイスにより送信される超音波信号の連続するバースト間の時間間隔のシーケンスで符号化されてもよい。
【０１１７】
指定されたスタッフメンバー１８１０の着用デバイスは該スタッフメンバーからの超音波送信を受信する。該指定されたスタッフメンバー１８１０の着用デバイスは超音波信号内の符号化されたデータを処理し、解き、そして該超音波信号の受信と超音波信号内の符号化されたデータとを記録するようプログラムされる。スタッフメンバーからの応答は個別に又は纏まりとして記録され、処理され、該処理は実時間で、又は或る応答後の時間の後に、行われてもよい。１つの例示用実施例では、該指定されたスタッフメンバー１８１０の着用デバイスは、中断プロトコルのスタート後の予め規定された時間の窓の間のみ該スタッフメンバーからの超音波送信を受信する。この実施例では、該着用デバイスは、該予め規定された時間の窓が満了後、スタッフメンバーからの超音波送信の記録又は処理を停止する。
【０１１８】
例示的実施例に依れば、該指定されたスタッフメンバー１８１０の着用デバイスは全スタッフメンバーが該手術手順のスタートの前に該情報に同意することは請け負わない。すなわち、該指定されたスタッフメンバー１８１０の着用デバイス自身は、該手順のスタートの前に中断プロトコルの遵守を請け負わない。この実施例では、該着用デバイスは超音波信号の受信と、該超音波信号内の符号化されたデータとを記録する。この記録は後でダウンロードされ、該手順に立ち会った全スタッフメンバーが同意したかどうか、誰が同意したか、誰が同意しなかったか、そして誰が該中断プロトコルに応答し損ねたかを判定するために、ベースステーションのワークステーションで更に処理される。
【０１１９】
もう１つの例示用実施例に依れば、指定されたスタッフメンバー１８１０の着用デバイスは、全スタッフメンバーが該手術手順のスタートの前に該情報に同意することを保証する。すなわち、該指定されたスタッフメンバー１８１０の着用デバイス自身が該手順のスタートの前に該中断プロトコルの遵守の保証に参加する。この実施例では、該着用デバイスは遵守ゾーンに関与するよう割り当てられるスタッフメンバーを決める。例えば、該着用デバイスは、その手術室内での手術に関与するよう割り当てられたスタッフメンバーを調べるため、遵守ゾーンの情報、例えば手術室識別子を使用する。他のスタッフメンバーからの超音波信号を受信すると、該着用デバイスはどのスタッフメンバーが該信号を発したかを判定するため、該信号内の符号化されたデータを対比させる。かくして、該着用デバイスはスタッフメンバーの誰が、同意で応答したか、不同意で応答したか、或いは全く応答しなかったかを記録することが出来る。全スタッフメンバーが同意して応答したことを判定すると、該着用デバイスは、例えばビープ音を鳴らすか、又は緑のライトを閃かすことにより、成功見込みの中断を示す。この場合、指定されたスタッフメンバーは次いで手術手順を進める指示を与えてもよい。
【０１２０】
他方、必ずしも全部のスタッフメンバーが応答しない、又は同意して応答しないことを判定すると、該着用デバイスは、例えばビープ音を鳴らすか又は赤いライトを閃かすことにより、中断の不成功を示してもよい。この場合、指定されたスタッフメンバーはスタッフメンバーが同意に達するまで及び同意に達しないならば、手術手順をスタートするのを避ける。
【０１２１】
図１９は中断プロトコル中に手術手順への関与者により着用された着用デバイス間の相互作用の方法の１つの例示用実施例のフローチャート１９００を図示する。該中断プロトコルを行う指定されたスタッフメンバーは中断プロトコルを始動するよう決める（過程１９１０）。該指定されたスタッフメンバーは中断プロトコルのスタートを示す（過程１９１５）。例示用実施例では、指定されたスタッフメンバーは近傍内に遵守ゾーンを指示する超音波信号を送信するよう該指定されたスタッフメンバーに関係する遵守ゾーン指示器を作動させてもよい。もう１つの例示用実施例では、指定されたスタッフメンバーは該指定されたスタッフメンバーの着用デバイス内に組み入れられた超音波送信器を使って超音波信号を送信してもよい。
【０１２２】
中断プロトコル中、該指定されたスタッフメンバーは手術手順に関する情報を声を出して読み上げる（過程１９２０）。全スタッフメンバーは、声を出して読まれた情報への彼等の同意、不同意又は未認識を、彼等のそれぞれの着用デバイスを使って、例えば、超音波信号を送信する彼等の着用デバイス上のボタンを押して、応答する（過程１９２５）。該指定されたスタッフメンバーの着用デバイスは全スタッフメンバーの着用デバイスからの応答信号を受信し（過程１９３０）、該応答信号を処理し、記憶する（過程１９３５）。
【０１２３】
オプションでは、該指定されたスタッフメンバーの着用デバイスは全てのスタッフメンバーが同意して応答したかどうかを判定することにより、中断プロトコルの遵守を判定する（過程１９４０）。該着用デバイスは次いで、全スタッフメンバーが該中断プロトコルに同意したかを、例えば緑のライトを閃かすことにより、或いは、何れかのスタッフメンバーが不同意であったか、又は該中断プロトコルへ応答し損ねたかを、例えば赤のライトを閃かすことにより、示す（過程１９４５）。
【０１２４】
ＶＩＩＩ．ベースステーション
図１３で表明されたシステムのもう１つの要素はベースステーション１３５０である。図１３では、該ベースステーション１３５０は廊下１３３５のナースステーション１３５５に配置される。該ベースステーション１３５０は、着用デバイス１３４５とベースステーション１３５０の間でデータを転送するために、着用デバイス１３４５と通信するよう構成される。この仕方で、遵守データが着用デバイス１３４５からダウンロードされてもよく、相互作用基準が該着用デバイス１３４５を構成するようアップロードされてもよい。該ベースステーション１３５０はまた、遵守ゾーン指示器１３０５Ａ及び１３０５Ｂと、手洗浄ステーション１３２５Ａ及び１３２５Ｂの１つ以上と通信するよう構成される。
【０１２５】
図１８で表明されるシステムでは、ベースステーションは、着用デバイスとベースステーションの間のデータの転送用に、該指定されたスタッフメンバー１８１０に関係する着用デバイスと通信するよう提供される。この仕方で、中断プロトコルに関するデータは着用デバイスからダウンロードされてもよく、該中断プロトコルに関する相互作用基準が着用デバイスを構成するようアップロードされてもよい。該ベースステーションはまた、該遵守ゾーン指示器１８０５と、スタッフメンバー１８１０，１８１５及び１８２０に関係する着用デバイスと通信するよう構成される。
【０１２６】
図２０はベースステーション１３５０の例示用実施例を図示する。この実施例で、ベースステーション１３５０はワークステーション２０００と着用デバイスラック２０１０を有する。該ワークステーション２０００はターミナル２００２，パーソナルコンピュータ２００４の様なコンピュータ、そしてキーボード２００６及びマウス２００８の様な入力デバイスを有する。他の実施例では、該ワークステーションはサーバーの様な遠隔の又は中央に配置されたコンピュータと接続されたターミナル２００２であってもよい。他の実施例では、ワークステーション２０００は電子医療記録（ＥＭＲ）システムの様なもう１
つのシステムの部分であってもよい。
【０１２７】
着用デバイスラック２０１０はワークステーション２０００に接続される。例えば、着用デバイスラック２０１０はＵＳＢ接続を介して接続されてもよい。着用デバイスラック２０１０は、１つ以上の着用デバイス２０１５を預け入れ、データが着用デバイス２０１５との間で転送され、又データが着用デバイス２０１５からワークステーション２０００へ転送されることを可能にする便利な場所を提供する。該着用デバイスラック２０１０は着用デバイス２０１５を受けるための多数のスロット又はクレードルを有してもよい。前に述べた様に、バッジ５００又はバッジホルダー６００の様な着用デバイスは、データを転送し、着用デバイス２０１５のバッテリーを充電するための、ＵＳＢポートの様な、ポートを備えてもよい。着用デバイスラック２０１０の各スロット又はクレードルは、着用デバイス２０１５のそれぞれのＵＳＢポートと嵌合するためにＵＳＢプラグを備えてもよい。着用デバイス２０１５を該スロット又はクレ−ドル内へ置く動作は該着用デバイス２０１５を充電及びデータ転送用に該ワークステーション２０００へ接続する。例えば、病院スタッフメンバーは、彼等のシフトの終わりに、彼等の着用デバイス２０１５を該クレードル内に置き、該着用デバイスが再充電されることを可能にする一方、該シフト中に記録された遵守データはストレージ及び解析用に該ワークステーション２０００にダウンロードされる。代わりに、データ転送通信が無線通信技術を使って行われてもよい。１つの例示用実施例では、着用デバイス２０１５は、着用デバイス２０１５上に記憶されたデータが日毎ベースでワークステーション２０００へ転送される必要がないように、１週間以上に亘り集められたデータを記憶するよう構成される。
【０１２８】
本発明の或る実施例に依れば、ベースステーション１３５０は着用デバイスラック２０１０を有しない。代わりに、着用デバイス２０１５は、有線か、無線か何れかの接続を使って、ベースステーション１３５０のワークステーション２０００と直接通信する。或るこの様な実施例では、ワークステーション２０００は遠隔か、中央位置（データセンターのコンピュータの様に）か、に配置されてもよく、着用デバイス２０１５は無線式に（その内部の送信器及び受信器又は追加の無線技術を使って）又はイーサーネット接続を経由して、ワークステーション２０００と通信する。
【０１２９】
例示用実施例では、ベースステーション１３５０はまた、着用デバイス２０１５を構成するよう使われてもよい。例えば、図１３の遵守ゾーン１３１５Ａ及び１３１５Ｂ用の手洗浄要求を判定する相互作用基準はベースステーション１３５０を使って着用デバイス１３４５用に構成されてもよい。この例は図２０で見られる。
【０１３０】
前に論じた様に、或る実施例では、図１３のベースステーション１３５０は着用デバイス１３４５、遵守ゾーン指示器１３０５Ａ及び１３０５Ｂ、そして手洗浄ステーション１３２５Ａ及び１３２５Ｂの１つ以上と無線式に通信するよう構成されてもよい。この様な無線通信の１つの利点はそれが該システムへの持続して連続した更新を許容することである。かくして遵守ゾーン及び相互作用基準は随時更新され、修正され得る。同様に、着用デバイス１３４５、遵守ゾーン指示器１３０５Ａ及び１３０５Ｂそして手洗浄ステーション１３２５Ａ及び１３２５Ｂのステイタスもまた、連続してモニターされる。
【０１３１】
遵守ゾーン指示器１１０の論議で述べた様に、遵守ゾーン指示器１１０の受信器２２０は該遵守ゾーン指示器１１０を構成するための信号を受信するよう使われてもよい。着用デバイス１２０の論議で述べた様に、着用デバイス１２０の受信器４００は着用デバイス１２０を構成するための信号を受信するよう使われてもよい。同様に、着用デバイス１２０の１つ以上の送信器４４０は記録された遵守データを転送するため使われてもよい。同様に、手洗浄ステーション１３２５Ａ及び１３２５Ｂの送信器１３３０Ａ及び１３３０Ｂと受信器（示されてない）もまた、ベースステーション１３５０へ及びベースステーション１３５０からデータを転送するため使われてもよい。
【０１３２】
一旦データが着用デバイス１３４５、遵守ゾーン指示器１３０５Ａ及び１３０５Ｂ、そして手洗浄ステーション１３２５Ａ及び１３２５Ｂから得られると、該データは記憶され、解析される。このデータは該プロトコル及び要求が如何に良く強制されているかを判定するため使われてもよい。該手洗浄例では、病院管理者は、手洗浄プロトコルの目標が達成されているかどうか、を判定し、誰が手洗浄プロトコルを遵守しているか、又は誰が遵守しないか、を判定するため該データを使用し、そして遵守を改善するよう該システムを更に構成することが出来る。或る実施例では、個人の遵守に基づき報奨又は罰点が提供される。該データはまた、規制又は認定機関への提出用に、グループの遵守に関する強力で包括的な文書の提供で使われてもよい。
【０１３３】
図２１はバッジを特定の病院スタッフメンバーと関係づけるために、着用デバイスを登録するため使われるグラフィカルユーザーインターフェース（ＧＵＩ）例２１００を画く。この実施例で、該ＧＵＩはユーザーにより充たされるべき多数の欄を提供する。第１欄はバッジ番号欄２１０５である。該バッジ番号欄２１０５に、ユーザーは構成される着用デバイスの識別番号を入れる。次の欄はバッジ着用者欄２１１０である。該バッジ着用者欄２１１０に、ユーザーは該着用デバイスと関係する病院スタッフメンバーの名を入れる。次の欄は役割欄２１１５である。役割欄２１１５で、ユーザーは該着用デバイスと関係する病院スタッフメンバーの役割を識別する。例えば、病院スタッフメンバーの役割は“医者”、“看護師”等であってもよい。最後の表示された欄は認証欄２１２０である。認証欄２１２０に、ユーザーは着用デバイスと関係する病院スタッフメンバーの認証レベルを入れる。例えば、病院スタッフメンバーは感染症医術で認証されていてもよい。ユーザーにより提供された情報に基づき、着用デバイスは特定の病院スタッフメンバー用に構成される。例えば、もし病院スタッフメンバーが感染症医術の認証された医師であるなら、着用デバイスは、該医師が、遵守ゾーンにいる時、着用デバイスに関して無効化を作動させることを可能にするよう構成されてもよい。同様に、遵守ゾーンに入った後又は該ゾーンを去った後、該医師の手を洗浄する時間限度が調整されてもよい。
【０１３４】
図２１に図示された欄２１０５，２１１０，２１１５及び２１２０は多数の考えられる欄の二、三に過ぎないことは理解されるべきである。本発明の或る例示用実施例に依れば、前の欄に入れられた情報により他の欄が提供されてもよい。他の実施例では、該欄は各相互作用基準を個別に指定するよう提供されてもよい。或る実施例では、提供された欄はベースステーションのユーザーの素性に依る。すなわち、着用デバイスを構成する能力は権限及び／又は真正の証明を必要としてもよい。例えば、部門の長は該部門内の医師個人又は看護師個人よりも強いバッジ構成能力を備えてもよい。
【０１３５】
かくして、本発明のシステムと方法論は健康、安全、保険および規制要求を遵守するのに必要なプロトコルを強制する有効な手段を提供する。遵守ゾーン指示器が該プロトコルの実施が望まれる場所に配置される。該遵守ゾーン指示器は遵守ゾーンを決定する信号を送信する。従業員は遵守ゾーン指示器により送信される信号を受信出来る着用デバイスを備える。着用デバイスが該遵守ゾーン内にある時、該着用デバイスは遵守ゾーンを認識し、該遵守ゾーン用の相互作用規準を識別する。該相互作用基準は該望まれるプロトコルを遵守するのに必要な要求である。該着用デバイスは該相互作用基準の遵守を判定し、記録する。該記録された遵守データは次いで強制されるプロトコルの遵守のレベルを判定するため分析されてもよい。
【０１３６】
前記説明を考慮すると当業者には本発明の数多くの変型と代替え実施例が明らかになるであろう。従って、この説明は、図解としてのみ解釈されるべきであり、そして本発明を実行するために技術的に最善の様式で当業者へ開示する目的用になっている。その構造の
詳細が実質的に変わっても本発明の精神から離れることは無く、そして附属する請求項の範囲に入る全ての変型の排他的使用が留保される。本発明は附属する請求項と適用可能な法律の規則により要求される程度にのみ限定されるよう意図されている。
【０１３７】
下記請求項はここに説明した本発明の全ての一般的及び特定的特徴と、言語の問題として、その間に入ると云われる本発明の範囲の全表明と、をカバーすると理解されるべきである。
【図１】
2012531108.tif 000003
【図２】
2012531108.tif 000004
【図３】
2012531108.tif 000005
【図４】
2012531108.tif 000006
【図５Ａ】
2012531108.tif 000007
【図５Ｂ】
2012531108.tif 000008
【図６Ａ】
2012531108.tif 000009
【図６Ｂ】
2012531108.tif 000010
【図７】
2012531108.tif 000011
【図８Ａ】
2012531108.tif 000012
【図８Ｂ】
2012531108.tif 000013
【図８Ｃ】
2012531108.tif 000014
【図９】
2012531108.tif 000015
【図１０】
2012531108.tif 000016
【図１１】
2012531108.tif 000017
【図１２】
2012531108.tif 000018
【図１３】
2012531108.tif 000019
【図１４】
2012531108.tif 000020
【図１５】
2012531108.tif 000021
【図１６】
2012531108.tif 000022
【図１７】
2012531108.tif 000023
【図１８】
2012531108.tif 000024
【図１９】
2012531108.tif 000025
【図２０】
2012531108.tif 000026
【図２１】
2012531108.tif 000027
【国際調査報告】
2012531108.tif 000028
2012531108.tif 000029